(57)【要約】  接ぎ木の精度及び接ぎ木苗の生産性を高められる接ぎ木用部材を提供する。本開示は、植物の茎に第１位置で当接する第１当接部を有する穂木ユニットと、穂木ユニットに着脱可能であると共に、植物の茎に第１位置よりも植物の根に近い第２位置で当接する第２当接部を有する台木ユニットと、穂木ユニットに固定可能であると共に、第１当接部に植物の茎を押し付ける第１押付部を有する第１固定具と、台木ユニットに固定可能であると共に、第２当接部に植物の茎を押し付ける第２押付部を有する第２固定具と、を備える接ぎ木用部材である。穂木ユニットに固定された第１固定具と、台木ユニットに固定された第２固定具との間に、植物の茎を露出させる空間が設けられる。
2019235111.tif 000002
【特許請求の範囲】
【請求項１】
植物の茎に第１位置で当接する少なくとも１つの第１当接部を有する穂木ユニットと、
前記穂木ユニットに着脱可能であると共に、前記植物の茎に前記第１位置よりも前記植物の根に近い第２位置で当接する少なくとも１つの第２当接部を有する台木ユニットと、
前記穂木ユニットに固定可能であると共に、前記少なくとも１つの第１当接部に前記植物の茎を押し付ける少なくとも１つの第１押付部を有する第１固定具と、
前記台木ユニットに固定可能であると共に、前記少なくとも１つの第２当接部に前記植物の茎を押し付ける少なくとも１つの第２押付部を有する第２固定具と、
を備え、
前記穂木ユニットに固定された前記第１固定具と、前記台木ユニットに固定された前記第２固定具との間に、前記植物の茎を露出させる空間が設けられる、接ぎ木用部材。
【請求項２】
請求項１に記載の接ぎ木用部材であって、
前記少なくとも１つの第１当接部は、前記第１押付部と対向する位置に設けられると共に、互いの距離が前記第１固定具の押付方向に沿って小さくなる２つの第１受容面を有し、
前記少なくとも１つの第１押付部は、前記第１当接部と対向する位置に設けられると共に、互いの距離が前記第１固定具の押付方向に沿って大きくなる２つの第１ガイド面を有し、
前記少なくとも１つの第２当接部は、前記第２押付部と対向する位置に設けられると共に、互いの距離が前記第２固定具の押付方向に沿って小さくなる２つの第２受容面を有し、
前記少なくとも１つの第２押付部は、前記第２当接部と対向する位置に設けられると共に、互いの距離が前記第２固定具の押付方向に沿って大きくなる２つの第２ガイド面を有する、接ぎ木用部材。
【請求項３】
請求項２に記載の接ぎ木用部材であって、
前記少なくとも１つの第１押付部及び前記少なくとも１つの第２押付部は、それぞれ、前記２つの第１ガイド面又は前記２つの第２ガイド面の連結部分に配置される緩衝部材を有する、接ぎ木用部材。
【請求項４】
請求項１から請求項３のいずれか１項に記載の接ぎ木用部材であって、
前記穂木ユニット及び前記台木ユニットは、それぞれ、前記少なくとも１つの第１当接部又は前記少なくとも１つの第２当接部が設けられた複数の板部を有し、
前記複数の板部は、
少なくとも１つの第１板部と、
前記第１板部に対し前記植物の茎の軸と平行な方向にずれて配置される少なくとも１つの第２板部と、
を有する、接ぎ木用部材。
【請求項５】
請求項１に記載の接ぎ木用部材であって、
前記少なくとも１つの第１押付部は、前記植物の茎の当接によって変形する第１緩衝部材を有し、
前記少なくとも１つの第２押付部は、前記植物の茎の当接によって変形する第２緩衝部材を有する、接ぎ木用部材。
【請求項６】
請求項５に記載の接ぎ木用部材であって、
前記少なくとも１つの第１押付部は、互いに離間して前記第１緩衝部材よりも前記第１固定具の押付方向に突出すると共に、互いの距離が前記第１固定具の押付方向に沿って大きくなる２つの第１ガイド面を有し、
前記少なくとも１つの第２押付部は、互いに離間して前記第２緩衝部材よりも前記第２固定具の押付方向に突出すると共に、互いの距離が前記第２固定具の押付方向に沿って大きくなる２つの第２ガイド面を有する、接ぎ木用部材。
【請求項７】
請求項６に記載の接ぎ木用部材であって、
前記第１緩衝部材は、前記２つの第１ガイド面の一部と前記植物の茎の軸と平行な方向に重なるように配置され、
前記第２緩衝部材は、前記２つの第２ガイド面の一部と前記植物の茎の軸と平行な方向に重なるように配置される、接ぎ木用部材。
【請求項８】
請求項５から請求項７のいずれか１項に記載の接ぎ木用部材であって、
前記第１固定具は、
前記少なくとも１つの第１押付部としての複数の第１押付部と、
前記複数の第１押付部に跨って配置された第１緩衝部材構成体と、
を有し、
前記第２固定具は、
前記少なくとも１つの第２押付部としての複数の第２押付部と、
前記複数の第２押付部に跨って配置された第２緩衝部材構成体と、
を有し、
前記複数の第１押付部が有する前記第１緩衝部材は、前記第１緩衝部材構成体の一部であり、
前記複数の第２押付部が有する前記第２緩衝部材は、前記第２緩衝部材構成体の一部である、接ぎ木用部材。
【請求項９】
請求項５から請求項８のいずれか１項に記載の接ぎ木用部材であって、
前記少なくとも１つの第１当接部は、前記第１押付部と対向する位置に設けられると共に、互いの距離が前記第１固定具の押付方向に沿って小さくなる２つの第１受容面を有し、
前記少なくとも１つの第２当接部は、前記第２押付部と対向する位置に設けられると共に、互いの距離が前記第２固定具の押付方向に沿って小さくなる２つの第２受容面を有する、接ぎ木用部材。
【請求項１０】
請求項２、請求項３又は請求項９に記載の接ぎ木用部材であって、
前記少なくとも１つの第１当接部は、前記２つの第１受容面の連結部分に設けられると共に、前記２つの第１受容面よりも前記植物の茎の軸と平行な方向に突出した第１凸部を有し、
前記少なくとも１つの第２当接部は、前記２つの第２受容面の連結部分に設けられると共に、前記２つの第２受容面よりも前記植物の茎の軸と平行な方向に突出した第２凸部を有する、接ぎ木用部材。
【請求項１１】
請求項１０に記載の接ぎ木用部材であって、
前記第１凸部の前記第１固定具の押付方向から視た幅は、前記２つの第１受容面から離間するに連れて小さくなり、
前記第２凸部の前記第２固定具の押付方向から視た幅は、前記２つの第２受容面から離間するに連れて小さくなる、接ぎ木用部材。
【請求項１２】
請求項２、請求項３、請求項９、請求項１０又は請求項１１に記載の接ぎ木用部材であって、
前記２つの第１受容面及び前記２つの第２受容面は、それぞれ、前記植物の茎の軸と平行な方向から視て湾曲した曲線部を有する、接ぎ木用部材。
【請求項１３】
請求項１２に記載の接ぎ木用部材であって、
前記２つの第１受容面及び前記２つの第２受容面は、それぞれ、前記２つの第１受容面の連結部分又は前記２つの第２受容面の連結部分に設けられた平面部をさらに有し、
前記平面部は、前記植物の茎の軸と平行な平面で構成される、接ぎ木用部材。
【請求項１４】
請求項１から請求項１３のいずれか１項に記載の接ぎ木用部材であって、
前記台木ユニットに対し前記穂木ユニットを固定する固定機構をさらに備える、接ぎ木用部材。
【請求項１５】
請求項１から請求項１４のいずれか１項に記載の接ぎ木用部材であって、
前記植物の根が収納されたポッドを支持する支持ユニットをさらに備える、接ぎ木用部材。
【請求項１６】
請求項１から請求項１５のいずれか１項に記載の接ぎ木用部材であって、
前記台木ユニットは、前記植物の茎の軸と垂直な面に対し前記穂木ユニットと対称な形状である、接ぎ木用部材。
【請求項１７】
第１接ぎ木用部材と、第２接ぎ木用部材とを備える接ぎ木用部材セットであって、
前記第１接ぎ木用部材は、
第１植物の茎に当接する少なくとも１つの第１当接部を有する穂木ユニットと、
前記穂木ユニットに固定可能であると共に、前記少なくとも１つの第１当接部に前記第１植物の茎を押し付ける少なくとも１つの第１押付部を有する第１固定具と、
を備え、
前記第２接ぎ木用部材は、
第２植物の茎に当接する少なくとも１つの第２当接部を有する台木ユニットと、
前記台木ユニットに固定可能であると共に、前記少なくとも１つの第２当接部に前記第２植物の茎を押し付ける少なくとも１つの第２押付部を有する第２固定具と、
を備え、
前記第１接ぎ木用部材の前記穂木ユニットは、前記第１固定具が固定された状態で、前記第２固定具が固定された状態の前記第２接ぎ木用部材の前記台木ユニットに装着可能である、接ぎ木用部材セット。
【請求項１８】
請求項１７に記載の接ぎ木用部材セットであって、
前記少なくとも１つの第１当接部は、前記第１押付部と対向する位置に設けられると共に、互いの距離が前記第１固定具の押付方向に沿って小さくなる２つの第１受容面を有し、
前記少なくとも１つの第１押付部は、前記第１当接部と対向する位置に設けられると共に、互いの距離が前記第１固定具の押付方向に沿って大きくなる２つの第１ガイド面を有し、
前記少なくとも１つの第２当接部は、前記第２押付部と対向する位置に設けられると共に、互いの距離が前記第２固定具の押付方向に沿って小さくなる２つの第２受容面を有し、
前記少なくとも１つの第２押付部は、前記第２当接部と対向する位置に設けられると共に、互いの距離が前記第２固定具の押付方向に沿って大きくなる２つの第２ガイド面を有する、接ぎ木用部材セット。
【請求項１９】
請求項１８に記載の接ぎ木用部材セットであって、
前記少なくとも１つの第１押付部及び前記少なくとも１つの第２押付部は、それぞれ、前記２つの第１ガイド面又は前記２つの第２ガイド面の連結部分に配置される緩衝部材を有する、接ぎ木用部材セット。
【請求項２０】
請求項１７から請求項１９のいずれか１項に記載の接ぎ木用部材セットであって、
前記穂木ユニット及び前記台木ユニットは、それぞれ、前記少なくとも１つの第１当接部又は前記少なくとも１つの第２当接部が設けられた複数の板部を有し、
前記複数の板部は、
少なくとも１つの第１板部と、
前記第１板部に対し前記第１植物又は前記第２植物の茎の軸と平行な方向にずれて配置される少なくとも１つの第２板部と、
を有する、接ぎ木用部材セット。
【請求項２１】
請求項１７に記載の接ぎ木用部材セットであって、
前記少なくとも１つの第１押付部は、前記第１植物の茎の当接によって変形する第１緩衝部材を有し、
前記少なくとも１つの第２押付部は、前記第２植物の茎の当接によって変形する第２緩衝部材を有する、接ぎ木用部材セット。
【請求項２２】
請求項２１に記載の接ぎ木用部材セットであって、
前記少なくとも１つの第１押付部は、互いに離間して前記第１緩衝部材よりも前記第１固定具の押付方向に突出すると共に、互いの距離が前記第１固定具の押付方向に沿って大きくなる２つの第１ガイド面を有し、
前記少なくとも１つの第２押付部は、互いに離間して前記第２緩衝部材よりも前記第２固定具の押付方向に突出すると共に、互いの距離が前記第２固定具の押付方向に沿って大きくなる２つの第２ガイド面を有する、接ぎ木用部材セット。
【請求項２３】
請求項２２に記載の接ぎ木用部材セットであって、
前記第１緩衝部材は、前記２つの第１ガイド面の一部と前記第１植物の茎の軸と平行な方向に重なるように配置され、
前記第２緩衝部材は、前記２つの第２ガイド面の一部と前記第２植物の茎の軸と平行な方向に重なるように配置される、接ぎ木用部材セット。
【請求項２４】
請求項２１から請求項２３のいずれか１項に記載の接ぎ木用部材セットであって、
前記第１固定具は、
前記少なくとも１つの第１押付部としての複数の第１押付部と、
前記複数の第１押付部に跨って配置された第１緩衝部材構成体と、
を有し、
前記第２固定具は、
前記少なくとも１つの第２押付部としての複数の第２押付部と、
前記複数の第２押付部に跨って配置された第２緩衝部材構成体と、
を有し、
前記複数の第１押付部が有する前記第１緩衝部材は、前記第１緩衝部材構成体の一部であり、
前記複数の第２押付部が有する前記第２緩衝部材は、前記第２緩衝部材構成体の一部である、接ぎ木用部材セット。
【請求項２５】
請求項２１から請求項２４のいずれか１項に記載の接ぎ木用部材セットであって、
前記少なくとも１つの第１当接部は、前記第１押付部と対向する位置に設けられると共に、互いの距離が前記第１固定具の押付方向に沿って小さくなる２つの第１受容面を有し、
前記少なくとも１つの第２当接部は、前記第２押付部と対向する位置に設けられると共に、互いの距離が前記第２固定具の押付方向に沿って小さくなる２つの第２受容面を有する、接ぎ木用部材セット。
【請求項２６】
請求項１８、請求項１９又は請求項２５に記載の接ぎ木用部材セットであって、
前記少なくとも１つの第１当接部は、前記２つの第１受容面の連結部分に設けられると共に、前記２つの第１受容面よりも前記第１植物の茎の軸と平行な方向に突出した第１凸部を有し、
前記少なくとも１つの第２当接部は、前記２つの第２受容面の連結部分に設けられると共に、前記２つの第２受容面よりも前記第２植物の茎の軸と平行な方向に突出した第２凸部を有する、接ぎ木用部材セット。
【請求項２７】
請求項２６に記載の接ぎ木用部材セットであって、
前記第１凸部の前記第１固定具の押付方向から視た幅は、前記２つの第１受容面から離間するに連れて小さくなり、
前記第２凸部の前記第２固定具の押付方向から視た幅は、前記２つの第２受容面から離間するに連れて小さくなる、接ぎ木用部材セット。
【請求項２８】
請求項１８、請求項１９、請求項２５、請求項２６又は請求項２７に記載の接ぎ木用部材セットであって、
前記２つの第１受容面及び前記２つの第２受容面は、それぞれ、前記第１植物又は前記第２植物の茎の軸と平行な方向から視て湾曲した曲線部を有する、接ぎ木用部材セット。
【請求項２９】
請求項２８に記載の接ぎ木用部材セットであって、
前記２つの第１受容面及び前記２つの第２受容面は、それぞれ、前記２つの第１受容面の連結部分又は前記２つの第２受容面の連結部分に連続して設けられた平面部をさらに有し、
前記平面部は、前記第１植物又は前記第２植物の茎の軸と平行な平面で構成される、接ぎ木用部材セット。
【請求項３０】
請求項１７から請求項２９のいずれか１項に記載の接ぎ木用部材セットであって、
前記第１接ぎ木用部材及び前記第２接ぎ木用部材の少なくとも一方は、前記台木ユニットに対し前記穂木ユニットを固定する固定機構をさらに備える、接ぎ木用部材セット。
【請求項３１】
請求項１７から請求項３０のいずれか１項に記載の接ぎ木用部材セットであって、
前記第１接ぎ木用部材及び前記第２接ぎ木用部材は、それぞれ、前記第１植物又は前記第２植物の根が収納されたポッドを支持する支持ユニットをさらに備える、接ぎ木用部材セット。
【請求項３２】
植物の茎に第１位置で当接する少なくとも１つの第１当接部を有する穂木ユニット、及び前記穂木ユニットに着脱可能であると共に前記植物の茎に前記第１位置よりも前記植物の根に近い第２位置で当接する少なくとも１つの第２当接部を有する台木ユニットのうち、少なくとも一方のユニットに固定される接ぎ木用固定具であって、
前記少なくとも１つの第１当接部又は前記少なくとも１つの第２当接部に前記植物の茎を押し付ける少なくとも１つの押付部を備え、
前記穂木ユニット又は前記台木ユニットに固定されることで、前記第１位置と前記第２位置との間に前記植物の茎を露出させる空間を設ける、接ぎ木用固定具。
【請求項３３】
請求項３２に記載の接ぎ木用固定具であって、
前記少なくとも１つの押付部は、前記第１当接部又は前記第２当接部と対向する位置に設けられると共に、互いの距離が前記少なくとも１つの押付部の押付方向に沿って大きくなる２つのガイド面を有する、接ぎ木用固定具。
【請求項３４】
請求項３３に記載の接ぎ木用固定具であって、
前記少なくとも１つの押付部は、前記２つのガイド面の連結部分に配置される緩衝部材を有する、接ぎ木用固定具。
【請求項３５】
請求項３２に記載の接ぎ木用固定具であって、
前記少なくとも１つの押付部は、前記植物の茎の当接によって変形する緩衝部材を有する、接ぎ木用固定具。
【請求項３６】
請求項３５に記載の接ぎ木用固定具であって、
前記少なくとも１つの押付部は、互いに離間して前記緩衝部材よりも前記少なくとも１つの押付部の押付方向に突出すると共に、互いの距離が前記少なくとも１つの押付部の押付方向に沿って大きくなる２つのガイド面を有する、接ぎ木用固定具。
【請求項３７】
請求項３６に記載の接ぎ木用固定具であって、
前記緩衝部材は、前記２つのガイド面の一部と前記植物の茎の軸と平行な方向に重なるように配置される、接ぎ木用固定具。
【請求項３８】
請求項３５から請求項３７のいずれか１項に記載の接ぎ木用固定具であって、
前記少なくとも１つの押付部としての複数の押付部と、
前記複数の押付部に跨って配置された緩衝部材構成体と、
を備え、
前記複数の押付部が有する前記緩衝部材は、前記緩衝部材構成体の一部である、接ぎ木用固定具。
【請求項３９】
第１接ぎ木用部材としての請求項１から請求項１６のいずれか１項に記載の接ぎ木用部材と、第２接ぎ木用部材としての請求項１から請求項１６のいずれか１項に記載の接ぎ木用部材とを用意する工程と、
前記穂木ユニットに前記台木ユニットを装着した状態で、前記第１接ぎ木用部材における前記穂木ユニットの前記少なくとも１つの第１当接部に少なくとも１つの第１植物の茎を当接させると共に、前記第１接ぎ木用部材における前記台木ユニットの前記少なくとも１つの第２当接部に前記少なくとも１つの第１植物の茎を当接させる工程と、
前記第１接ぎ木用部材における前記第１固定具及び前記第２固定具の固定により、前記少なくとも１つの第１当接部と前記少なくとも１つの第１押付部との間、及び前記少なくとも１つの第２当接部と前記少なくとも１つの第２押付部との間で前記少なくとも１つの第１植物の茎を固定する工程と、
前記第１接ぎ木用部材における前記第１固定具と前記第２固定具との間の前記空間で、前記少なくとも１つの第１植物の茎を切断する工程と、
前記穂木ユニットに前記台木ユニットを装着した状態で、前記第２接ぎ木用部材における前記穂木ユニットの前記少なくとも１つの第１当接部に少なくとも１つの第２植物の茎を当接させると共に、前記第２接ぎ木用部材における前記台木ユニットの前記少なくとも１つの第２当接部に前記少なくとも１つの第２植物の茎を当接させる工程と、
前記第２接ぎ木用部材における前記第１固定具及び前記第２固定具の固定により、前記少なくとも１つの第１当接部と前記少なくとも１つの第１押付部との間、及び前記少なくとも１つの第２当接部と前記少なくとも１つの第２押付部との間で前記少なくとも１つの第２植物の茎を固定する工程と、
前記第２接ぎ木用部材における前記第１固定具と前記第２固定具との間の前記空間で、前記少なくとも１つの第２植物の茎を切断する工程と、
前記第１接ぎ木用部材の前記穂木ユニットによって固定された前記少なくとも１つの第１植物の茎の切断面と、前記第２接ぎ木用部材の前記台木ユニットによって固定された前記少なくとも１つの第２植物の茎の切断面とを接合する工程と、
を備える、接ぎ木苗の生産方法。
【請求項４０】
請求項１７から請求項３１のいずれか１項に記載の接ぎ木用部材セットの前記第１接ぎ木用部材と前記第２接ぎ木用部材とを用意する工程と、
前記第１接ぎ木用部材における前記穂木ユニットの前記少なくとも１つの第１当接部に少なくとも１つの第１植物の茎を当接させる工程と、
前記第１固定具の固定により、前記少なくとも１つの第１当接部と前記少なくとも１つの第１押付部との間で前記少なくとも１つの第１植物の茎を固定する工程と、
前記第１固定具よりも前記少なくとも１つの第１植物の根に近い位置で、前記少なくとも１つの第１植物の茎を切断する工程と、
前記第２接ぎ木用部材における前記台木ユニットの前記少なくとも１つの第２当接部に前記少なくとも１つの第２植物の茎を当接させる工程と、
前記第２固定具の固定により、前記少なくとも１つの第２当接部と前記少なくとも１つの第２押付部との間で前記少なくとも１つの第２植物の茎を固定する工程と、
前記第２固定具よりも前記少なくとも１つの第２植物の根から離れた位置で、前記少なくとも１つの第２植物の茎を切断する工程と、
前記第１接ぎ木用部材の前記穂木ユニットによって固定された前記少なくとも１つの第１植物の茎の切断面と、前記第２接ぎ木用部材の前記台木ユニットによって固定された前記少なくとも１つの第２植物の茎の切断面とを接合する工程と、
を備える、接ぎ木苗の生産方法。
【発明の詳細な説明】
【関連出願の相互参照】
【０００１】
本国際出願は、２０１８年６月６日に日本国特許庁に出願された日本国特許出願第２０１８−１０８８０７号に基づく優先権を主張するものであり、日本国特許出願第２０１８−１０８８０７号の全内容を本国際出願に参照により援用する。
【技術分野】
【０００２】
本開示は、接ぎ木用部材、接ぎ木用部材セット、接ぎ木用固定具及び接ぎ木苗の生産方法に関する。
【背景技術】
【０００３】
接ぎ木は、農業及び園芸分野において、連作障害の回避、品質及び収穫数の向上、新品種の増殖等を目的に広く一般的に行われている。接ぎ木は業務用及び家庭用を問わず広く普及しているが、接ぎ木の多くが人の手によって施術されている。【０００４】
人の手による接ぎ木の施術にはある程度の習練が必要であるため、人の手による接ぎ木では、接ぎ木苗の品質がばらつき易い。そこで、チップ状の部材内で種子から発芽させた植物の茎を切断し、切断した茎を保持したまま穂木部分と台木部分とにユニットを分離可能な育苗部材が提案されている（特許文献１参照）。【０００５】
この育苗部材では、接ぎ木用の苗を簡便に用意することができると共に、ユニットに保持された茎の切断面同士を精度よく接合することができる。
【先行技術文献】
【特許文献】
【０００６】
【特許文献１】国際公開第２０１６／１２９６８３号
【発明の概要】
【発明が解決しようとする課題】
【０００７】
上記育苗部材では、植物の茎が固定されないため、接ぎ木を行う茎の位置精度に改善の余地がある。また、上記育苗部材では、不良固体の選別、根と部材との接触の回避、植物の成長高さの調整等の生産性において改善の余地がある。【０００８】
本開示の一局面は、接ぎ木の精度及び接ぎ木苗の生産性を高められる接ぎ木用部材を提供することが好ましい。
【課題を解決するための手段】
【０００９】
本開示の一態様は、穂木ユニットと、台木ユニットと、第１固定具と、第２固定具と、を備える接ぎ木用部材である。穂木ユニットは、植物の茎に第１位置で当接する少なくとも１つの第１当接部を有する。台木ユニットは、穂木ユニットに着脱可能であると共に、植物の茎に第１位置よりも植物の根に近い第２位置で当接する少なくとも１つの第２当接部を有する。【００１０】
また、第１固定具は、穂木ユニットに固定可能であると共に、少なくとも１つの第１当接部に植物の茎を押し付ける少なくとも１つの第１押付部を有する。第２固定具は、台木ユニットに固定可能であると共に、少なくとも１つの第２当接部に植物の茎を押し付ける少なくとも１つの第２押付部を有する。穂木ユニットに固定された第１固定具と、台木ユニットに固定された第２固定具との間に、植物の茎を露出させる空間が設けられる。【００１１】
このような構成によれば、第１当接部及び第１押付部、並びに第２当接部及び第２押付部によって、穂木ユニット及び台木ユニットそれぞれにおいて、植物の茎を切断部分の近傍で固定できるので、接合する茎の位置精度を高められる。その結果、接ぎ木の精度が高められる。【００１２】
さらに、本開示の接ぎ木用部材では生育後の植物を使用するので、例えば部材内で種子を発芽させた場合の不良固体の発生によるロスを避けられる。また、成長する根によって部材の内部が傷付くことや、根の部材への食い込みによって部材からの取り外し時に植物が傷付くことが避けられる。加えて、台木の胚軸長の確保が容易に行える。その結果、接ぎ木苗の生産性が高められる。【００１３】
また、本開示では、植物に合わせて部材のサイズを容易に変更できるため、多品種における接ぎ木を行うことができる。また、１種の接ぎ木用部材を穂木用と台木用とに共通して使用できるため、設備コストを低減できる。【００１４】
本開示の一態様では、少なくとも１つの第１当接部は、第１押付部と対向する位置に設けられると共に、互いの距離が第１固定具の押付方向に沿って小さくなる２つの第１受容面を有してもよい。少なくとも１つの第１押付部は、第１当接部と対向する位置に設けられると共に、互いの距離が第１固定具の押付方向に沿って大きくなる２つの第１ガイド面を有してもよい。少なくとも１つの第２当接部は、第２押付部と対向する位置に設けられると共に、互いの距離が第２固定具の押付方向に沿って小さくなる２つの第２受容面を有してもよい。少なくとも１つの第２押付部は、第２当接部と対向する位置に設けられると共に、互いの距離が第２固定具の押付方向に沿って大きくなる２つの第２ガイド面を有してもよい。このような構成によれば、第１固定具及び第２固定具の固定によって、容易かつ的確に植物の茎を所定位置に誘導して固定することができる。【００１５】
本開示の一態様では、少なくとも１つの第１押付部及び少なくとも１つの第２押付部は、それぞれ、２つの第１ガイド面又は２つの第２ガイド面の連結部分に配置される緩衝部材を有してもよい。このような構成によれば、緩衝部材によって茎の径のバラツキを吸収しながら、茎を所定位置に固定できる。【００１６】
本開示の一態様では、穂木ユニット及び台木ユニットは、それぞれ、少なくとも１つの第１当接部又は少なくとも１つの第２当接部が設けられた複数の板部を有してもよい。複数の板部は、少なくとも１つの第１板部と、第１板部に対し植物の茎の軸と平行な方向にずれて配置される少なくとも１つの第２板部と、を有してもよい。このような構成によれば、穂木ユニット及び台木ユニットそれぞれの第１板部及び第２板部に第１固定具及び第２固定具を噛み合わせることで、固定具を固定するための部材を設けることなく、第１固定具及び第２固定具を固定することができる。【００１７】
本開示の一態様では、少なくとも１つの第１押付部は、植物の茎の当接によって変形する第１緩衝部材を有してもよい。少なくとも１つの第２押付部は、植物の茎の当接によって変形する第２緩衝部材を有してもよい。このような構成によれば、第１緩衝部材及び第２緩衝部材によって茎の位置ずれを抑制できる。その結果、接ぎ木の精度が高められる。【００１８】
本開示の一態様では、少なくとも１つの第１押付部は、互いに離間して第１緩衝部材よりも第１固定具の押付方向に突出すると共に、互いの距離が第１固定具の押付方向に沿って大きくなる２つの第１ガイド面を有してもよい。少なくとも１つの第２押付部は、互いに離間して第２緩衝部材よりも第２固定具の押付方向に突出すると共に、互いの距離が第２固定具の押付方向に沿って大きくなる２つの第２ガイド面を有してもよい。このような構成によれば、第１緩衝部材及び第２緩衝部材へ容易かつ的確に植物の茎を誘導することができる。【００１９】
本開示の一態様では、第１緩衝部材は、２つの第１ガイド面の一部と植物の茎の軸と平行な方向に重なるように配置されてもよい。第２緩衝部材は、２つの第２ガイド面の一部と植物の茎の軸と平行な方向に重なるように配置されてもよい。このような構成によれば、第１緩衝部材及び第２緩衝部材の第１固定具又は第２固定具への配置が容易になる。その結果、第１緩衝部材及び第２緩衝部材の交換が容易に行える。【００２０】
本開示の一態様では、第１固定具は、少なくとも１つの第１押付部としての複数の第１押付部と、複数の第１押付部に跨って配置された第１緩衝部材構成体と、を有してもよい。第２固定具は、少なくとも１つの第２押付部としての複数の第２押付部と、複数の第２押付部に跨って配置された第２緩衝部材構成体と、を有してもよい。複数の第１押付部が有する第１緩衝部材は、第１緩衝部材構成体の一部であってもよい。複数の第２押付部が有する第２緩衝部材は、第２緩衝部材構成体の一部であってもよい。このような構成によれば、固定具に配置する部品の点数を減らすことができるので、緩衝部材の取り付け及び交換が容易になる。【００２１】
本開示の一態様では、少なくとも１つの第１当接部は、第１押付部と対向する位置に設けられると共に、互いの距離が第１固定具の押付方向に沿って小さくなる２つの第１受容面を有してもよい。少なくとも１つの第２当接部は、第２押付部と対向する位置に設けられると共に、互いの距離が第２固定具の押付方向に沿って小さくなる２つの第２受容面を有してもよい。このような構成によれば、第１固定具及び第２固定具の固定によって、容易かつ的確に植物の茎を所定位置に誘導して固定することができる。【００２２】
本開示の一態様では、少なくとも１つの第１当接部は、２つの第１受容面の連結部分に設けられると共に、２つの第１受容面よりも植物の茎の軸と平行な方向に突出した第１凸部を有してもよい。少なくとも１つの第２当接部は、２つの第２受容面の連結部分に設けられると共に、２つの第２受容面よりも植物の茎の軸と平行な方向に突出した第２凸部を有してもよい。このような構成によれば、第１当接部と第１押付部との間、及び第２当接部と第２押付部との間において、固定位置に茎を容易に誘導できる。【００２３】
本開示の一態様では、第１凸部の第１固定具の押付方向から視た幅は、２つの第１受容面から離間するに連れて小さくなってもよい。第２凸部の第２固定具の押付方向から視た幅は、２つの第２受容面から離間するに連れて小さくなってもよい。このような構成によれば、固定位置への茎の誘導がさらに容易になる。【００２４】
本開示の一態様では、２つの第１受容面及び２つの第２受容面は、それぞれ、植物の茎の軸と平行な方向から視て湾曲した曲線部を有してもよい。このような構成によれば、第１固定具及び第２固定具によって茎を所定位置に誘導する際に、茎が傷付くことを抑制できる。【００２５】
本開示の一態様では、２つの第１受容面及び２つの第２受容面は、それぞれ、２つの第１受容面の連結部分又は２つの第２受容面の連結部分に連続して設けられた平面部をさらに有してもよい。平面部は、植物の茎の軸と平行な平面で構成されてもよい。このような構成によれば、第１固定具及び第２固定具によって、植物の茎の噛み込みを抑制しつつ、茎を所定位置に的確に誘導できる。【００２６】
本開示の一態様は、台木ユニットに対し穂木ユニットを固定する固定機構をさらに備えてもよい。このような構成によれば、接合後の台木と穂木とを互いに押し付けることができる。その結果、養生中や輸送中における台木と穂木との分離を抑制できる。【００２７】
本開示の一態様は、植物の根が収納されたポッドを支持する支持ユニットをさらに備えてもよい。このような構成によれば、切断前から接合後までの間、植物を安定して保持できる。【００２８】
本開示の一態様では、台木ユニットは、植物の茎の軸と垂直な面に対し穂木ユニットと対称な形状であってもよい。このような構成によれば、穂木ユニットと台木ユニットとして同じ部材を共通使用できる。その結果、接ぎ木用部材のコストを低減できる。【００２９】
本開示の別の態様は、第１接ぎ木用部材と、第２接ぎ木用部材とを備える接ぎ木用部材セットである。第１接ぎ木用部材は、穂木ユニットと、第１固定具と、を備える。穂木ユニットは、第１植物の茎に当接する少なくとも１つの第１当接部を有する。第１固定具は、穂木ユニットに固定可能であると共に、少なくとも１つの第１当接部に第１植物の茎を押し付ける少なくとも１つの第１押付部を有する。【００３０】
また、第２接ぎ木用部材は、台木ユニットと、第２固定具と、を備える。台木ユニットは、第２植物の茎に当接する少なくとも１つの第２当接部を有する。第２固定具は、台木ユニットに固定可能であると共に、少なくとも１つの第２当接部に第２植物の茎を押し付ける少なくとも１つの第２押付部を有する。第１接ぎ木用部材の穂木ユニットは、第１固定具が固定された状態で、第２固定具が固定された状態の第２接ぎ木用部材の台木ユニットに装着可能である。【００３１】
このような構成によれば、第１固定具及び第２固定具によって植物の茎を切断部分の近傍で固定できるので、接ぎ木の精度が高められる。また、生育後の植物を使用することで、接ぎ木苗の生産性を高められる。【００３２】
本開示の別の態様は、接ぎ木用固定具である。接ぎ木用固定具は、植物の茎に第１位置で当接する少なくとも１つの第１当接部を有する穂木ユニット、及び穂木ユニットに着脱可能であると共に植物の茎に第１位置よりも植物の根に近い第２位置で当接する少なくとも１つの第２当接部を有する台木ユニットのうち、少なくとも一方のユニットに固定される。【００３３】
また、接ぎ木用固定具は、少なくとも１つの第１当接部又は少なくとも１つの第２当接部に植物の茎を押し付ける少なくとも１つの押付部を備える。接ぎ木用固定具は、穂木ユニット又は台木ユニットに固定されることで、第１位置と第２位置との間に植物の茎を露出させる空間を設ける。少なくとも１つの押付部は、植物の茎の当接によって変形する緩衝部材を有する。【００３４】
このような構成によれば、植物を保持するための穂木ユニット及び台木ユニットに対して接ぎ木用固定具を組み合わせることで、従来に比して、接ぎ木の精度、生産性等を高められる。【００３５】
本開示の別の態様は、第１接ぎ木用部材としての上記接ぎ木用部材と、第２接ぎ木用部材としての上記接ぎ木用部材とを用意する工程と、穂木ユニットに台木ユニットを装着した状態で、第１接ぎ木用部材における穂木ユニットの少なくとも１つの第１当接部に少なくとも１つの第１植物の茎を当接させると共に、第１接ぎ木用部材における台木ユニットの少なくとも１つの第２当接部に少なくとも１つの第１植物の茎を当接させる工程と、第１接ぎ木用部材における第１固定具及び第２固定具の固定により、少なくとも１つの第１当接部と少なくとも１つの第１押付部との間、及び少なくとも１つの第２当接部と少なくとも１つの第２押付部との間で少なくとも１つの第１植物の茎を固定する工程と、第１接ぎ木用部材における第１固定具と第２固定具との間の空間で、少なくとも１つの第１植物の茎を切断する工程と、穂木ユニットに台木ユニットを装着した状態で、第２接ぎ木用部材における穂木ユニットの少なくとも１つの第１当接部に少なくとも１つの第２植物の茎を当接させると共に、第２接ぎ木用部材における台木ユニットの少なくとも１つの第２当接部に少なくとも１つの第２植物の茎を当接させる工程と、第２接ぎ木用部材における第１固定具及び第２固定具の固定により、少なくとも１つの第１当接部と少なくとも１つの第１押付部との間、及び少なくとも１つの第２当接部と少なくとも１つの第２押付部との間で少なくとも１つの第２植物の茎を固定する工程と、第２接ぎ木用部材における第１固定具と第２固定具との間の空間で、少なくとも１つの第２植物の茎を切断する工程と、第１接ぎ木用部材の穂木ユニットによって固定された少なくとも１つの第１植物の茎の切断面と、第２接ぎ木用部材の台木ユニットによって固定された少なくとも１つの第２植物の茎の切断面とを接合する工程と、を備える接ぎ木苗の生産方法である。【００３６】
このような構成によれば、上述のように、接ぎ木の精度が高められる。また、生育後の植物を使用するため、接ぎ木苗の生産性が高められる。さらに、植物のサイズを問わず、接ぎ木を行うことができる。また、１種の接ぎ木用部材を穂木用と台木用とに共通して使用できるため、設備コストを低減できる。【００３７】
本開示の別の態様は、上記接ぎ木用部材セットの第１接ぎ木用部材と第２接ぎ木用部材とを用意する工程と、第１接ぎ木用部材における穂木ユニットの少なくとも１つの第１当接部に少なくとも１つの第１植物の茎を当接させる工程と、第１固定具の固定により、少なくとも１つの第１当接部と少なくとも１つの第１押付部との間で少なくとも１つの第１植物の茎を固定する工程と、第１固定具よりも少なくとも１つの第１植物の根に近い位置で、少なくとも１つの第１植物の茎を切断する工程と、第２接ぎ木用部材における台木ユニットの少なくとも１つの第２当接部に少なくとも１つの第２植物の茎を当接させる工程と、第２固定具の固定により、少なくとも１つの第２当接部と少なくとも１つの第２押付部との間で少なくとも１つの第２植物の茎を固定する工程と、第２固定具よりも少なくとも１つの第２植物の根から離れた位置で、少なくとも１つの第２植物の茎を切断する工程と、第１接ぎ木用部材の穂木ユニットによって固定された少なくとも１つの第１植物の茎の切断面と、第２接ぎ木用部材の台木ユニットによって固定された少なくとも１つの第２植物の茎の切断面とを接合する工程と、を備える接ぎ木苗の生産方法である。【００３８】
このような構成によれば、上述のように、接ぎ木の精度及び接ぎ木苗の生産性が高められる。
【図面の簡単な説明】
【００３９】
【図１】図１は、実施形態における接ぎ木用部材の模式的な斜視図である。
【図２】図２は、図１の接ぎ木用部材に複数の植物が保持された状態を示す模式図である。
【図３】図３Ａは、図１の接ぎ木用部材における穂木ユニットの模式的な斜視図であり、図３Ｂは、穂木ユニットの模式的な平面図であり、図３Ｃは、穂木ユニットの模式的な正面図である。
【図４】図４Ａは、図１の接ぎ木用部材における台木ユニットの模式的な斜視図であり、図４Ｂは、台木ユニットの模式的な平面図であり、図４Ｃは、台木ユニットの模式的な正面図である。
【図５】図５は、図１の接ぎ木用部材における第１固定具及び第２固定具の固定手順を示す模式図である。
【図６】図６Ａは、図１の接ぎ木用部材における第１固定具の模式的な斜視図であり、図６Ｂは、第１固定具の模式的な平面図であり、図６Ｃは、第１固定具の模式的な背面図である。
【図７】図７は、図１の接ぎ木用部材における第２固定具の模式的な斜視図である。
【図８】図８は、図１の接ぎ木用部材における支持ユニットの模式的な斜視図である。
【図９】図９は、図１とは異なる実施形態における接ぎ木用部材の模式的な斜視図である。
【図１０】図１０Ａは、図９の接ぎ木用部材における穂木ユニットの模式的な斜視図であり、図１０Ｂは、穂木ユニットの模式的な正面図である。
【図１１】図１１は、図９の接ぎ木用部材における台木ユニットの模式的な斜視図である。
【図１２】図１２Ａは、図９の接ぎ木用部材における第１固定具の模式的な斜視図であり、図１２Ｂは、第１固定具の模式的な平面図であり、図１２Ｃは、第１固定具の模式的な背面図である。
【図１３】図１３は、図９の接ぎ木用部材における第２固定具の模式的な斜視図である。
【図１４】図１４は、図９の接ぎ木用部材における支持ユニットの模式的な斜視図である。
【図１５】図１５は、図１及び図９とは異なる実施形態における接ぎ木用部材の模式的な斜視図である。
【図１６】図１６は、図１５の接ぎ木用部材に複数の植物が保持された状態を示す模式図である。
【図１７】図１７Ａは、図１５の接ぎ木用部材における穂木ユニットの模式的な斜視図であり、図１７Ｂは、穂木ユニットの模式的な底面図であり、図１７Ｃは、穂木ユニットの模式的な正面図である。
【図１８】図１８は、図１５の接ぎ木用部材における台木ユニットの模式的な斜視図である。
【図１９】図１９は、図１５の接ぎ木用部材における第１固定具及び第２固定具の固定手順を示す模式図である。
【図２０】図２０Ａは、図１５の接ぎ木用部材における第１固定具の模式的な斜視図であり、図２０Ｂは、第１固定具の模式的な底面図であり、図２０Ｃは、第１固定具の模式的な背面図である。
【図２１】図２１Ａは、図２０Ａとは異なる実施形態における押付部の模式的な部分拡大図であり、図２１Ｂは、図２０Ａ及び図２１Ａとは異なる実施形態における押付部の模式的な部分拡大図である。
【図２２】図２２は、図１５の接ぎ木用部材における第２固定具の模式的な斜視図である。
【図２３】図２３は、図１５の接ぎ木用部材における支持ユニットの模式的な斜視図である。
【図２４】図２４は、図１、図９及び図１５とは異なる実施形態における接ぎ木用部材の模式的な斜視図である。
【図２５】図２５Ａは、図２４の接ぎ木用部材における穂木ユニットの模式的な斜視図であり、図２５Ｂは、穂木ユニットの模式的な底面図であり、図２５Ｃは、穂木ユニットの模式的な正面図である。
【図２６】図２６Ａは、図２４の接ぎ木用部材における第１固定具の模式的な斜視図であり、図２６Ｂは、第１固定具の模式的な底面図であり、図２６Ｃは、第１固定具の模式的な背面図である。
【図２７】図２７は、実施形態における接ぎ木苗の生産方法のフローチャートである。
【図２８】図２８は、実施形態における接ぎ木用部材セットの模式的な斜視図である。
【図２９】図２９は、図２８の第１接ぎ木用部材の第２枠部の模式的な斜視図である。
【符号の説明】
【００４０】
１，１０，１０１，２０１…接ぎ木用部材、２，１２，１０２，２０２…穂木ユニット、３，１３，１０３，２０３…台木ユニット、４，１４，１０４，２０４…第１固定具、５，１５，１０５，２０５…第２固定具、６，１６，１０６，２０６…支持ユニット、２４，２４Ａ，２４Ｂ，１２４，２２４…第１当接部、２５Ａ，２５Ｂ，１２５Ａ，１２５Ｂ，２２５Ａ，２２５Ｂ…第１受容面、３４，３４Ａ，３４Ｂ，１３４…第２当接部、３５Ａ，３５Ｂ，１３５Ａ，１３５Ｂ…第２受容面、４１，４１Ａ，４１Ｂ，１４１，２４１…第１押付部、４２Ａ，４２Ｂ，１４２Ａ，１４２Ｂ，２４２Ａ，２４２Ｂ…第１ガイド面、４２Ｃ，５２Ｃ，１４２Ｃ，１５２Ｃ，２４２Ｃ…緩衝部材、５１，５１Ａ，５１Ｂ，１５１…第２押付部、５２Ａ，５２Ｂ，１５２Ａ，１５２Ｂ…第２ガイド面。
【発明を実施するための形態】
【００４１】
以下、本開示が適用された実施形態について、図面を用いて説明する。
【００４２】
［１．第１実施形態］
［１−１．構成］
図１に示す接ぎ木用部材１は、植物を切断して穂木及び台木を得ると共に、得られた穂木及び台木を接合するためのカセット状の部材である。
【００４３】
図１の接ぎ木用部材１は、穂木を得るための第１接ぎ木用部材としても、台木を得るための第２接ぎ木用部材としても使用可能に構成されている。つまり、本実施形態の接ぎ木用部材セットは、第１接ぎ木用部材としての接ぎ木用部材１と、第２接ぎ木用部材としての接ぎ木用部材１とを備える。
【００４４】
なお、第１接ぎ木用部材としての接ぎ木用部材１と、第２接ぎ木用部材としての接ぎ木用部材１とは、必ずしも完全に同じ形状でなくてもよい。つまり、第２接ぎ木用部材は、第１接ぎ木用部材と形状が異なる部分を有してもよい。
【００４５】
接ぎ木用部材１は、穂木ユニット２と、台木ユニット３と、第１固定具４と、第２固定具５と、支持ユニット６とを備える。図１は、これらのパーツが組み立てられた状態を示しているが、各パーツは、着脱可能に構成されている。各パーツは、後述する磁石及び緩衝部材を除き、例えば、樹脂、金属等で形成することができる。
【００４６】
接ぎ木用部材１は、図２に示すように、複数の植物Ｐを内部に保持可能に構成されている。なお、図２では、５つの植物Ｐが保持されているが、接ぎ木用部材１が保持する植物Ｐの数は５に限定されない。また、植物Ｐの種類は、特に限定されない。
【００４７】
＜穂木ユニット＞
穂木ユニット２は、図３Ａに示すように、第１下板部２１と、第１上板部２２と、第１枠部２３とを有する。
【００４８】
第１下板部２１は、後述する第１固定具４の押付方向（つまり挿入方向）Ｉと平行、かつ、植物Ｐの茎の軸と垂直な板面を有する板状の部位である。第１下板部２１は、複数の植物Ｐの茎にそれぞれ第１位置Ｐ１（図２参照）で当接する複数の第１当接部２４を有する。第１位置Ｐ１は、植物Ｐの切断位置よりも植物Ｐの先端（つまり茎頂）に近い位置である。
【００４９】
第１当接部２４は、第１固定具４の第１押付部４１（図６Ａ参照）と共に植物Ｐの茎を挟んで固定する。第１当接部２４は、第１下板部２１に設けられた凹部である。複数の第１当接部２４は、第１固定具４の押付方向Ｉと交差する方向に並列して配置されている。各第１当接部２４は、２つの第１受容面２５Ａ，２５Ｂと、第１凸部２６とを有する。
【００５０】
２つの第１受容面２５Ａ，２５Ｂは、穂木ユニット２に取付けられる第１固定具４の第１押付部４１と対向する位置に設けられると共に、互いの距離が第１固定具４の押付方向Ｉに沿って小さくなっている。つまり、第１当接部２４は、第１下板部２１の外側に開いた凹部である。図３Ｂに示すように、２つの第１受容面２５Ａ，２５Ｂの形状は、植物Ｐの茎の軸と平行な方向（以下、「植物Ｐの軸方向」ともいう。）から視て滑らかに湾曲した曲線である。なお、２つの第１受容面２５Ａ，２５Ｂの植物Ｐの軸方向における縁は、面取りされている。また、植物Ｐの茎の軸は、例えば鉛直方向と平行である。
【００５１】
図３Ａに示すように、第１凸部２６は、２つの第１受容面２５Ａ，２５Ｂの連結部分２５Ｃ（つまり、第１当接部２４の最も内側の部分）に設けられると共に、第１受容面２５Ａ，２５Ｂよりも植物Ｐの軸方向に突出した部位である。具体的には、第１凸部２６は、第１下板部２１の上面から植物Ｐの先端に向かう方向に盛り上がっている。
【００５２】
図３Ｃに示すように、第１凸部２６の第１固定具４の押付方向Ｉから視た幅は、第１受容面２５Ａ，２５Ｂから離間するに連れて（つまり、先端に向かうに連れて）小さくなっている。
【００５３】
第１上板部２２は、図３Ａに示すように、第１下板部２１と平行に、かつ離間して、第１下板部２１よりも植物Ｐの先端近くに配置されている。第１上板部２２は、植物Ｐを挿通するための複数の凹部２２Ａを有する。各凹部２２Ａは、植物Ｐの軸方向から視て第１当接部２４と重なる位置に設けられている。
【００５４】
第１下板部２１と第１上板部２２とは、第１枠部２３と複数の柱状部２９とによって連結されている。第１下板部２１と第１上板部２２との間には、第１固定具４が挿入されるスリット状の空間が形成されている。第１枠部２３は、第１固定具４をガイドするガイド溝２３Ａ，２３Ｂを有する。
【００５５】
複数の柱状部２９は、隣接する第１当接部２４同士の間（つまり、１つの第１当接部２４の第１受容面２５Ａと、この第１当接部２４に隣接する別の第１当接部２４の第１受容面２５Ｂとの間）に配置されている。また、複数の柱状部２９は、それぞれ第１固定具４をガイドするガイド溝２９Ａを有する。
【００５６】
第１枠部２３は、穂木ユニット２と台木ユニット３とを着脱可能に固定するための固定機構である２つの第１主磁石２７Ａ，２７Ｂを有する。２つの第１主磁石２７Ａ，２７Ｂは、台木ユニット３と対向及び当接する部分（つまり、第１枠部２３の下面）に配置され、台木ユニット３の第２主磁石３７Ａ，３７Ｂとそれぞれ結合する。
【００５７】
また、第１枠部２３は、穂木ユニット２に第１固定具４を着脱可能に固定するための固定機構である２つの第１補助磁石２８Ａ，２８Ｂを有する。２つの第１補助磁石２８Ａ，２８Ｂは、第１固定具４と対向及び当接する部分（つまり、第１枠部２３の側面）に配置され、対向する第１固定具４の磁石４５Ａ，４５Ｂとそれぞれ結合する。
【００５８】
第１接ぎ木用部材としての接ぎ木用部材１の穂木ユニット２は、第１固定具４が固定された状態で、第２固定具５が固定された状態の第２接ぎ木用部材としての接ぎ木用部材１の台木ユニット３に装着可能に構成されている。
【００５９】
＜台木ユニット＞
台木ユニット３は、図４Ａに示すように、第２上板部３１と、第２下板部３２と、第２枠部３３とを有する。
【００６０】
第２上板部３１は、後述する第２固定具５の押付方向Ｉと平行、かつ、植物Ｐの茎の軸と垂直な板面を有する板状の部位である。第２上板部３１は、複数の植物Ｐの茎にそれぞれ第２位置Ｐ２（図２参照）で当接する複数の第２当接部３４を有する。第２位置Ｐ２は、植物Ｐの切断位置よりも植物Ｐの根に近い位置である。
【００６１】
第２当接部３４は、第２固定具５の第２押付部５１（図７参照）と共に植物Ｐの茎を挟んで固定する。第２当接部３４は、第２上板部３１に設けられた凹部である。複数の第２当接部３４は、第２固定具５の押付方向Ｉと交差する方向に並列して配置されている。各第２当接部３４は、２つの第２受容面３５Ａ，３５Ｂと、第２凸部３６とを有する。
【００６２】
２つの第２受容面３５Ａ，３５Ｂは、台木ユニット３に取付けられる第２固定具５の第２押付部５１と対向する位置に設けられると共に、互いの距離が第２固定具５の押付方向Ｉに沿って小さくなっている。つまり、第２当接部３４は、第２上板部３１の外側に開いた凹部である。図４Ｂに示すように、２つの第２受容面３５Ａ，３５Ｂの形状は、植物Ｐの軸方向から視て滑らかに湾曲した曲線である。なお、２つの第２受容面３５Ａ，３５Ｂの植物Ｐの軸方向における縁は、面取りされている。
【００６３】
図４Ａに示すように、第２凸部３６は、２つの第２受容面３５Ａ，３５Ｂの連結部分３５Ｃ（つまり、第２当接部３４の最も内側の部分）に設けられ、第２受容面３５Ａ，３５Ｂよりも植物Ｐの軸方向に突出した部位である。具体的には、第２凸部３６は、第２上板部３１の下面から植物Ｐの先端に向かう方向に盛り上がっている。
【００６４】
図４Ｃに示すように、第２凸部３６の第２固定具５の押付方向Ｉから視た幅は、第２受容面３５Ａ，３５Ｂから離間するに連れて（つまり、先端に向かうに連れて）小さくなっている。
【００６５】
各第２当接部３４は、穂木ユニット２と台木ユニット３とが固定された状態で対応する第１当接部２４と重なる位置に配置されている。なお、本実施形態では、第２当接部３４は、第１当接部２４を植物Ｐの軸方向に反転した形状である。つまり、第２当接部３４は、第１凸部２６の向きを反転した第１当接部２４と同じものである。そのため、平面視で（つまり植物Ｐの軸方向から視て）、第２当接部３４と第１当接部２４とは同形状である。ただし、第２当接部３４と第１当接部２４との平面視における形状は異なっていてもよいし、第２当接部３４の第２凸部３６と第１当接部２４の第１凸部２６とは同じ方向に盛り上がっていてもよい。
【００６６】
図４Ａに示すように、第２下板部３２は、第２上板部３１と平行に、かつ離間して、第２上板部３１よりも植物Ｐの根近くに配置されている。第２下板部３２は、植物Ｐを挿通するための複数の凹部３２Ａを有する。各凹部３２Ａは、平面視で第２当接部３４と重なる位置に設けられている。
【００６７】
第２上板部３１と第２下板部３２とは、第２枠部３３と複数の柱状部３９とによって連結されている。第２上板部３１と第２下板部３２との間には、第２固定具５が挿入されるスリット状の空間が形成されている。第２枠部３３は、第２固定具５をガイドするガイド溝３３Ａ，３３Ｂを有する。
【００６８】
複数の柱状部３９は、隣接する第２当接部３４同士の間（つまり、１つの第２当接部３４の第２受容面３５Ａと、この第２当接部３４に隣接する別の第２当接部３４の第２受容面３５Ｂとの間）に配置されている。また、複数の柱状部３９は、それぞれ第２固定具５をガイドするガイド溝３９Ａを有する。
【００６９】
第２枠部３３は、穂木ユニット２を支持する部材である。第２枠部３３は、台木ユニット３に対して、穂木ユニット２及び後述する支持ユニット６を着脱可能に固定するための固定機構である４つの第２主磁石３７Ａ，３７Ｂ，３７Ｃ，３７Ｄを有する。
【００７０】
２つの第２主磁石３７Ａ，３７Ｂは、穂木ユニット２と対向及び当接する部分（つまり、第２枠部３３の上面）に配置され、対向する穂木ユニット２の第１主磁石２７Ａ，２７Ｂとそれぞれ結合する。残りの２つの第２主磁石３７Ｃ，３７Ｄは、支持ユニット６と対向及び当接する部分（つまり、第２枠部３３の下面）に配置され、対向する支持ユニット６の第３主磁石６３Ａ，６３Ｂとそれぞれ結合する。
【００７１】
また、第２枠部３３は、台木ユニット３に第２固定具５を着脱可能に固定するための固定機構である２つの第２補助磁石３８Ａ，３８Ｂを有する。２つの第２補助磁石３８Ａ，３８Ｂは、第２固定具５と対向及び当接する部分（つまり、第２枠部３３の側面）に配置され、対向する第２固定具５の磁石５５Ａ，５５Ｂとそれぞれ結合する。
【００７２】
なお、台木ユニット３の２つの第２補助磁石３８Ａ，３８Ｂに対して、上下方向に重なる穂木ユニット２の２つの第１補助磁石２８Ａ，２８Ｂの磁極を異ならせるとよい。例えば、第２補助磁石３８ＡをＳ極、第１補助磁石２８ＡをＮ極、第２補助磁石３８ＢをＮ極、第１補助磁石２８ＡをＳ極とするとよい。これにより、磁石同士の反発による台木ユニット３からの穂木ユニット２の離脱が抑制される。
【００７３】
＜第１固定具＞
第１固定具４は、図５に示すように、穂木ユニット２に固定可能に構成された板状の部材である。本実施形態では、第１固定具４は、水平方向に、穂木ユニット２の第１下板部２１と、第１上板部２２との間に挿入される。これにより、第１固定具４は、穂木ユニット２に固定される。
【００７４】
第１固定具４は、図６Ａに示すように、穂木ユニット２の複数の第１当接部２４にそれぞれ植物Ｐの茎を押し付ける複数の第１押付部４１を有する。第１押付部４１は、第１固定具４の押付方向Ｉにおいて、第１当接部２４と対向する位置に配置される。
【００７５】
複数の第１押付部４１は、第１固定具４において櫛歯状の部位を構成する複数の凹部に該当し、第１固定具４の押付方向Ｉと交差する方向に並列して配置されている。各第１押付部４１は、２つの第１ガイド面４２Ａ，４２Ｂと、緩衝部材４２Ｃと、を有する。
【００７６】
２つの第１ガイド面４２Ａ，４２Ｂは、穂木ユニット２の第１当接部２４と対向する位置に設けられると共に、互いの距離が第１固定具４の押付方向Ｉに沿って大きくなっている。つまり、第１押付部４１は、第１固定具４の外側に開いた凹部である。図６Ｂに示すように、２つの第１ガイド面４２Ａ，４２Ｂの形状は、植物Ｐの軸方向から視て滑らかに湾曲した曲線である。なお、２つの第１ガイド面４２Ａ，４２Ｂの植物Ｐの軸方向における縁は、面取りされている。
【００７７】
緩衝部材４２Ｃは、２つの第１ガイド面４２Ａ，４２Ｂの連結部分（つまり、第１押付部４１の最も内側の部分）に配置されている。緩衝部材４２Ｃは、植物Ｐの茎が当接することによって一定量変形可能な材料で構成されている。緩衝部材４２Ｃの形成材料としては、例えばスポンジ等の多孔質体が挙げられる。また、緩衝部材４２Ｃの形成材料として、ゴム等の弾性体を用いてもよい。
【００７８】
第１当接部２４に配置された植物Ｐの茎は、第１押付部４１の緩衝部材４２Ｃと、第１当接部２４の第１凸部２６とに当接する。また、植物Ｐの茎は、第１当接部２４と第１押付部４１とに保持されることで、茎の径方向の移動が規制される。
【００７９】
なお、第１固定具４は、図６Ｂ，６Ｃに示すように、複数の緩衝部材４２Ｃに当接し、かつ第１押付部４１よりも植物Ｐの軸方向に膨らんだ複数の膨出部４３を有する。第１固定具４は、膨出部４３が設けられた面が植物Ｐの根の方向を向く（つまり下面となる）ように、穂木ユニット２に挿入される。
【００８０】
また、第１固定具４は、複数の第１押付部４１の間に設けられた複数のスリット４４を有する。第１固定具４を穂木ユニット２に挿入する際、各スリット４４に穂木ユニット２の各柱状部２９が挿通される。
【００８１】
さらに、第１固定具４は、穂木ユニット２に第１固定具４を着脱可能に固定するための固定機構である２つの磁石４５Ａ，４５Ｂを有する。２つの磁石４５Ａ，４５Ｂは、穂木ユニット２の第１枠部２３と対向及び当接する部分に配置され、対向する第１枠部２３の第１補助磁石２８Ａ，２８Ｂとそれぞれ結合する。
【００８２】
＜第２固定具＞
第２固定具５は、図５に示すように、台木ユニット３に固定可能に構成された板状の部材である。本実施形態では、第２固定具５は、水平方向に、台木ユニット３の第２上板部３１と、第２下板部３２との間に挿入される。これにより、第２固定具５は、台木ユニット３に固定される。
【００８３】
第２固定具５は、図７に示すように、台木ユニット３の複数の第２当接部３４にそれぞれ植物Ｐの茎を押し付ける複数の第２押付部５１を有する。第２押付部５１は、第２固定具５の押付方向Ｉにおいて、第２当接部３４と対向する位置に配置される。
【００８４】
各第２押付部５１は、２つの第２ガイド面５２Ａ，５２Ｂと、緩衝部材５２Ｃと、を有する。２つの第２ガイド面５２Ａ，５２Ｂは、台木ユニット３の第２当接部３４と対向する位置に設けられると共に、互いの距離が第２固定具５の押付方向Ｉに沿って大きくなっている。つまり、第２押付部５１は、第２固定具５の外側に開いた凹部である。２つの第２ガイド面５２Ａ，５２Ｂの形状は、植物Ｐの軸方向から視て滑らかに湾曲した曲線である。
【００８５】
緩衝部材５２Ｃは、第１固定具４の第１押付部４１の緩衝部材４２Ｃと同じものであるため、説明を省略する。
【００８６】
本実施形態では、第２固定具５は、植物Ｐの茎の軸と垂直な面（つまり水平面）に対し第１固定具４と対称な形状である。つまり、第２固定具５は、第１固定具４を上下反転させたものである。ただし、第２固定具５は第１固定具４と部分的に異なる部位を有してもよい。
【００８７】
第２固定具５は、複数の膨出部５３と、複数のスリット５４と、２つの磁石５５Ａ，５５Ｂとを有する。複数の膨出部５３及び複数のスリット５４は、第１固定具４の複数の膨出部４３及び複数のスリット４４と同じものであるため、説明を省略する。なお、第２固定具５は、膨出部５３が設けられた面が植物Ｐの先端方向を向く（つまり上面となる）ように、台木ユニット３に挿入される。
【００８８】
２つの磁石５５Ａ，５５Ｂは、台木ユニット３に第２固定具５を着脱可能に固定するための固定機構である。２つの磁石５５Ａ，５５Ｂは、台木ユニット３の第２枠部３３と対向及び当接する部分に配置され、対向する第２枠部３３の第２補助磁石３８Ａ，３８Ｂとそれぞれ結合する。
【００８９】
図１に示すように、穂木ユニット２に固定された第１固定具４と、台木ユニット３に固定された第２固定具５との間には、植物Ｐの茎を露出させる空間Ｓが設けられる。つまり、第１固定具４及び第２固定具５は、穂木ユニット２又は台木ユニット３に固定されることで、第１位置Ｐ１と第２位置Ｐ２との間に植物Ｐの茎を露出させる空間Ｓを設ける。この空間Ｓにて茎を切断することで、植物Ｐの穂木及び台木を得ることができる。
【００９０】
＜支持ユニット＞
支持ユニット６は、図２に示すように、植物Ｐの根が収納されたポッドＱを支持する部材である。
【００９１】
支持ユニット６は、図８に示すように、本体６１と、複数の支持枠６２と、２つの第３主磁石６３Ａ，６３Ｂとを有する。本実施形態では、支持ユニット６は、台木ユニット３に着脱可能に構成されている。
【００９２】
本体６１には、複数のポッドＱが挿入可能な内部空間が設けられている。複数の支持枠６２は、それぞれポッドＱを鉛直方向に係止する部位であり、本体６１の内壁から内側に向かって突出している。
【００９３】
２つの第３主磁石６３Ａ，６３Ｂは、台木ユニット３と対向及び当接する部分（つまり本体６１の上面）に配置され、対向する台木ユニット３の第２主磁石３７Ｃ，３７Ｄとそれぞれ結合する。
【００９４】
［１−２．効果］
以上詳述した実施形態によれば、以下の効果が得られる。
【００９５】
（１ａ）第１当接部２４及び第１押付部４１、並びに第２当接部３４及び第２押付部５１によって、穂木ユニット２及び台木ユニット３それぞれにおいて、植物Ｐの茎を切断部分の近傍の上下２カ所で固定できるので、接合する茎の位置精度を高められる。その結果、接ぎ木の精度が高められる。
【００９６】
（１ｂ）生育後の植物Ｐを使用するので、例えば部材内で種子を発芽させた場合の不良固体の発生によるロスを避けられる。また、成長する根によって部材の内部が傷付くことや、根の部材への食い込みによって部材からの取り外し時に植物Ｐが傷付くことが避けられる。加えて、台木の胚軸長の確保が容易に行える。その結果、接ぎ木苗の生産性が高められる。
【００９７】
（１ｃ）植物Ｐに合わせて部材のサイズを容易に変更できるため、多品種における接ぎ木を行うことができる。また、１種の接ぎ木用部材１を穂木用と台木用とに共通して使用できるため、設備コストを低減できる。
【００９８】
（１ｄ）２つの第１受容面２５Ａ，２５Ｂ及び２つの第２受容面３５Ａ，３５Ｂの互いの距離が固定具の押付方向に沿って小さくなり、２つの第１ガイド面４２Ａ，４２Ｂ及び２つの第２ガイド面５２Ａ，５２Ｂの互いの距離が固定具の押付方向に沿って大きくなっているため、第１固定具４及び第２固定具５の挿入によって、容易かつ的確に植物Ｐの茎を所定位置に誘導して固定することができる。
【００９９】
（１ｅ）第１凸部２６及び第２凸部３６の固定具の押付方向から視た幅が２つの第１受容面２５Ａ，２５Ｂ又は第２受容面３５Ａ，３５Ｂから離間するに連れて小さくなるため、第１当接部２４と第１押付部４１との間、及び第２当接部３４と第２押付部５１との間において、固定位置に茎を容易に誘導できる。
【０１００】
（１ｆ）２つの第１受容面２５Ａ，２５Ｂの形状、２つの第１ガイド面４２Ａ，４２Ｂの形状、２つの第２受容面３５Ａ，３５Ｂの形状、及び２つの第２ガイド面５２Ａ，５２Ｂの形状は、それぞれ、植物Ｐの軸方向から視て湾曲した曲線であるので、第１固定具４及び第２固定具５の挿入によって茎を所定位置に誘導する際に茎が傷付くことを抑制できる。
【０１０１】
（１ｇ）第１押付部４１及び第２押付部５１がそれぞれ緩衝部材４２Ｃ，５２Ｃを有するので、緩衝部材４２Ｃ，５２Ｃによって茎の径のバラツキを吸収しながら、茎を所定位置に固定できる。
【０１０２】
（１ｈ）第１主磁石２７Ａ，２７Ｂ及び第２主磁石３７Ａ，３７Ｂによる固定機構によって、接合後の台木と穂木とを互いに押し付けることができる。その結果、養生中や輸送中における台木と穂木との分離を抑制できる。
【０１０３】
（１ｉ）植物Ｐの根が収納されたポッドＱを支持する支持ユニット６によって、切断前から接合後までの間、植物Ｐを安定して保持できる。
【０１０４】
［２．第２実施形態］
［２−１．構成］
図９に示す接ぎ木用部材１０は、図１の接ぎ木用部材１と同様、穂木を得るための第１接ぎ木用部材としても、台木を得るための第２接ぎ木用部材としても使用可能に構成されている。
【０１０５】
接ぎ木用部材１０は、穂木ユニット１２と、台木ユニット１３と、第１固定具１４と、第２固定具１５と、支持ユニット１６とを備える。図９は、これらのパーツが組み立てられた状態を示しているが、各パーツは、着脱可能に構成されている。各パーツは、後述する磁石及び緩衝部材を除き、例えば、樹脂、金属等で形成することができる。
【０１０６】
＜穂木ユニット＞
穂木ユニット１２は、図１０Ａ，１０Ｂに示すように、２つの第１板部２１Ａ及び１つの第２板部２１Ｂと、第１枠部２３とを有する。
【０１０７】
第１板部２１Ａ及び第２板部２１Ｂは、後述する第１固定具１４の押付方向Ｉと平行な板面を有する板状の部位である。第１板部２１Ａ及び第２板部２１Ｂは、植物Ｐの茎の押付方向Ｉと交差する方向に並列して配置されている。第２板部２１Ｂは、２つの第１板部２１Ａに挟まれて配置されている。２つの第１板部２１Ａには、１つの下向き第１当接部２４Ａがそれぞれ設けられている。第２板部２１Ｂには、複数の上向き第１当接部２４Ｂが設けられている。
【０１０８】
複数の第１当接部２４Ａ，２４Ｂは、図３Ａの穂木ユニット２における複数の第１当接部２４と同じものである。つまり、各第１当接部２４Ａ，２４Ｂは、２つの第１受容面２５Ａ，２５Ｂと、２つの第１受容面２５Ａ，２５Ｂの連結部分２５Ｃに設けられた第１凸部２６とを有する。
【０１０９】
本実施形態では、第１板部２１Ａに設けられた下向き第１当接部２４Ａの第１凸部２６は、第１板部２１Ａの下面（つまり、台木ユニット１３側の板面）から植物Ｐの根に向かう方向に盛り上がっている。
【０１１０】
２つの下向き第１当接部２４Ａに挟まれた複数の上向き第１当接部２４Ｂの第１凸部２６は、第２板部２１Ｂの上面（つまり、台木ユニット１３とは反対側の板面）から植物Ｐの先端に向かう方向に盛り上がっている。
【０１１１】
このように、穂木ユニット１２は、第１凸部２６の突出方向が互いに異なる下向き第１当接部２４Ａと上向き第１当接部２４Ｂとを有している。なお、下向き第１当接部２４Ａは、必ずしも穂木ユニット１２の両端に配置される必要はない。また、穂木ユニット１２は、１つの下向き第１当接部２４Ａを有してもよい。同様に、穂木ユニット１２は、１つの上向き第１当接部２４Ｂを有してもよい。
【０１１２】
図１０Ｂに示すように、第１板部２１Ａの下面は、植物Ｐの軸方向において、第２板部２１Ｂの上面と同じ位置か、第２板部２１Ｂの上面よりも植物Ｐの先端に近い位置に配置されている。つまり、第２板部２１Ｂは、第１板部２１Ａに対し植物Ｐの茎の軸と平行な方向にずれて配置されている。
【０１１３】
また、２つの第１板部２１Ａと第２板部２１Ｂとの間には、それぞれ、第１固定具１４の挿入をガイドするスリット２３Ｃ，２３Ｄが形成されている。
【０１１４】
第１枠部２３は、図３Ａの穂木ユニット２における第１枠部２３と同様に、穂木ユニット１２と台木ユニット１３とを着脱可能に固定するための固定機構である２つの第１主磁石（図示省略）と、穂木ユニット１２に第１固定具１４を着脱可能に固定するための固定機構である２つの第１補助磁石２８Ａ，２８Ｂとを有する。
【０１１５】
＜台木ユニット＞
台木ユニット１３は、図１１に示すように、２つの第１板部３１Ａ及び１つの第２板部３１Ｂと、第２枠部３３とを有する。
【０１１６】
第１板部３１Ａ及び第２板部３１Ｂは、後述する第２固定具１５の押付方向Ｉと平行な板面を有する板状の部位である。第１板部３１Ａ及び第２板部３１Ｂは、植物Ｐの茎の押付方向Ｉと交差する方向に並列して配置されている。第２板部３１Ｂは、２つの第１板部３１Ａに挟まれて配置されている。２つの第１板部３１Ａには、１つの上向き第２当接部３４Ａがそれぞれ設けられている。第２板部３１Ｂには、複数の下向き第２当接部３４Ｂが設けられている。
【０１１７】
複数の第２当接部３４Ａ，３４Ｂは、図４Ａの穂木ユニット２における複数の第２当接部３４と同じものである。つまり、各第２当接部３４Ａ，３４Ｂは、２つの第２受容面３５Ａ，３５Ｂと、２つの第２受容面３５Ａ，３５Ｂの連結部分３５Ｃに設けられた第２凸部３６とを有する。
【０１１８】
本実施形態では、第１板部３１Ａに設けられた上向き第２当接部３４Ａの第２凸部３６は、第１板部３１Ａの上面（つまり、穂木ユニット１２側の板面）から植物Ｐの先端に向かう方向に盛り上がっている。
【０１１９】
下向き第２当接部３４Ｂの第２凸部３６は、第２板部３１Ｂの下面（つまり、穂木ユニット１２とは反対側の板面）から植物Ｐの根に向かう方向に盛り上がっている。
【０１２０】
第２板部３１Ｂは、第１板部３１Ａに対し植物Ｐの茎の軸と平行な方向にずれて配置されている。また、２つの第１板部３１Ａと第２板部３１Ｂとの間には、それぞれ、第２固定具１５の挿入をガイドするスリット３３Ｃ，３３Ｄが形成されている。
【０１２１】
第２枠部３３は、図４Ａの台木ユニット３における第２枠部３３と同様に、台木ユニット１３に対して、穂木ユニット１２を着脱可能に固定するための固定機構である２つの第２主磁石３７Ａ，３７Ｂと、後述する支持ユニット１６を着脱可能に固定するための磁石（図示省略）と、台木ユニット１３に第２固定具１５を着脱可能に固定するための固定機構である２つの第２補助磁石３８Ａ，３８Ｂとを有する。
【０１２２】
このように、台木ユニット１３は、植物Ｐの茎の軸と垂直な面（つまり水平面）に対し穂木ユニット１２と対称な形状である。詳細には、台木ユニット１３は、穂木ユニット１２を上下反転させたものに、支持ユニット１６を着脱可能に固定するための磁石を取り付けたものである。
【０１２３】
＜第１固定具＞
第１固定具１４は、図１２Ａに示すように、穂木ユニット１２に固定可能に構成された板状の部材である。第１固定具１４は、穂木ユニット１２の複数の第１当接部２４Ａ，２４Ｂにそれぞれ植物Ｐの茎を押し付ける２つの上向き第１押付部４１Ａ及び複数の下向き第１押付部４１Ｂと、膨出部４３とを有する。
【０１２４】
２つの上向き第１押付部４１Ａは、押付方向Ｉと交差する方向における両端に配置されている。複数の下向き第１押付部４１Ｂは、２つの上向き第１押付部４１Ａの間に配置されている。
【０１２５】
複数の第１押付部４１Ａ，４１Ｂは、第１固定具１４の押付方向Ｉと交差する方向に並列して配置されている。各第１押付部４１Ａ，４１Ｂは、２つの第１ガイド面４２Ａ，４２Ｂと、緩衝部材４２Ｃとを有する。
【０１２６】
２つの第１ガイド面４２Ａ，４２Ｂ、緩衝部材４２Ｃ及び膨出部４３は、図６Ａ，６Ｂの第１固定具４における第１ガイド面４２Ａ，４２Ｂ、緩衝部材４２Ｃ及び膨出部４３と同じものである。
【０１２７】
本実施形態では、上向き第１押付部４１Ａの膨出部４３は、植物Ｐの先端に向かう方向に盛り上がっている。上向き第１押付部４１Ａは、穂木ユニット１２の両端に設けられた下向き第１当接部２４Ａに下側から重なるように構成されている。
【０１２８】
上向き第１押付部４１Ａの膨出部４３は、第１固定具１４の穂木ユニット１２への挿入時に、下向き第１当接部２４Ａの受容面２５Ａ，２５Ｂに当接する。また、上向き第１押付部４１Ａの上面（つまり、植物Ｐの先端側の板面）４２Ｄは、穂木ユニット１２の第１板部２１Ａの下面と平行であり、第１板部２１Ａの下面と当接する。
【０１２９】
下向き第１押付部４１Ｂの膨出部４３は、植物Ｐの根に向かう方向に盛り上がっている。下向き第１押付部４１Ｂは、穂木ユニット１２の上向き第１当接部２４Ｂに上側から重なるように構成されている。
【０１３０】
下向き第１押付部４１Ｂの膨出部４３は、第１固定具１４の穂木ユニット１２への挿入時に、上向き第１当接部２４Ｂの受容面２５Ａ，２５Ｂに当接する。また、下向き第１押付部４１Ｂの下面（つまり、植物Ｐの根側の板面）４２Ｅは、穂木ユニット１２の第２板部２１Ｂの上面と平行であり、第２板部２１Ｂの上面と当接する。
【０１３１】
このように、第１固定具１４は、膨出部４３の膨出方向が互いに異なる上向き第１押付部４１Ａと下向き第１押付部４１Ｂとを有している。そのため、上向き第１押付部４１Ａと下向き第１当接部２４Ａとの噛み合いと、下向き第１押付部４１Ｂと上向き第１当接部２４Ｂとの噛み合いとによって、第１固定具１４は、穂木ユニット１２に固定される。
【０１３２】
また、第１固定具１４は、穂木ユニット１２への挿入を案内する複数の当接面４６を有する。当接面４６は、上向き第１押付部４１Ａと下向き第１押付部４１Ｂとの間に設けられている。当接面４６は、第１固定具１４の押付方向Ｉと平行、かつ、上向き第１押付部４１Ａの上面４２Ｄと垂直な面である。当接面４６は、穂木ユニット１２のスリット２３Ｃ，２３Ｄの内面に当接する。
【０１３３】
また、第１固定具１４は、図６Ａ，６Ｂ，６Ｃの第１固定具４と同様、穂木ユニット１２に第１固定具１４を着脱可能に固定するための固定機構である２つの磁石４５Ａ，４５Ｂを有する。
【０１３４】
＜第２固定具＞
第２固定具１５は、図１３に示すように、台木ユニット１３に固定可能に構成された板状の部材である。第２固定具１５は、台木ユニット１３の複数の第２当接部３４にそれぞれ植物Ｐの茎を押し付ける複数の下向き第２押付部５１Ａ及び上向き第２押付部５１Ｂと、膨出部５３とを有する。
【０１３５】
複数の第２押付部５１Ａ，５１Ｂは、第２固定具１５の押付方向Ｉと交差する方向に並列して配置されている。各第２押付部５１Ａ，５１Ｂは、２つの第２ガイド面５２Ａ，５２Ｂと、緩衝部材５２Ｃとを有する。
【０１３６】
２つの第２ガイド面５２Ａ，５２Ｂ、緩衝部材５２Ｃ及び膨出部５３は、図７の第２固定具５における第２ガイド面５２Ａ，５２Ｂ、緩衝部材５２Ｃ及び膨出部５３と同じものである。
【０１３７】
本実施形態では、第２固定具１５は、植物Ｐの茎の軸と垂直な面（つまり水平面）に対し第１固定具１４と対称な形状である。つまり、第２固定具１５は、第１固定具１４を上下反転させたものである。ただし、第２固定具１５は第１固定具１４と部分的に異なる部位を有してもよい。
【０１３８】
第２固定具１５は、下向き第２押付部５１Ａと上向き第２当接部３４Ａとの噛み合いと、上向き第２押付部５１Ｂと下向き第２当接部３４Ｂとの噛み合いとによって、台木ユニット１３に固定される。
【０１３９】
また、第２固定具１５は、図７の第２固定具５と同様に、台木ユニット１３に第２固定具１５を着脱可能に固定するための固定機構である２つの磁石５５Ａ，５５Ｂを有している。
【０１４０】
＜支持ユニット＞
支持ユニット１６は、図１４に示すように、本体６１と、複数の仕切り板６４と、２つの第３主磁石６３Ａ，６３Ｂとを有する。本実施形態では、支持ユニット１６は、台木ユニット１３に着脱可能に構成されている。
【０１４１】
本体６１には、複数の植物Ｐのポッドが挿入可能な内部空間が複数の仕切り板６４によって設けられている。２つの第３主磁石６３Ａ，６３Ｂは、台木ユニット１３と対向及び当接する部分（つまり本体６１の上面）に配置され、対向する台木ユニット１３の第２主磁石とそれぞれ結合する。
【０１４２】
［２−２．効果］
以上詳述した実施形態によれば、以下の効果が得られる。
【０１４３】
（２ａ）台木ユニット１３が植物Ｐの茎の軸と垂直な面に対し穂木ユニット１２と対称な形状であることで、穂木ユニット１２と台木ユニット１３として同じ部材を共通使用できる。また、第１固定具４と第２固定具５として同じ部材を共通使用できる。その結果、接ぎ木用部材１０のコストを低減できる。
【０１４４】
（２ｂ）穂木ユニット１２及び台木ユニット１３それぞれの第１板部及び第２板部に第１固定具１４及び第２固定具１５を噛み合わせることで、固定具を固定するための部材（例えば第１実施形態の第１上板部２２及び第２下板部３２）を設けることなく、第１固定具及び第２固定具を固定することができる。その結果、接ぎ木用部材１０のコストを低減できる。
【０１４５】
［３．第３実施形態］
［３−１．構成］
図１５に示す接ぎ木用部材１０１は、植物を切断して穂木及び台木を得ると共に、得られた穂木及び台木を接合するためのカセット状の部材である。
【０１４６】
図１５の接ぎ木用部材１０１は、穂木を得るための第１接ぎ木用部材としても、台木を得るための第２接ぎ木用部材としても使用可能に構成されている。つまり、本実施形態の接ぎ木用部材セットは、第１接ぎ木用部材としての接ぎ木用部材１０１と、第２接ぎ木用部材としての接ぎ木用部材１０１とを備える。
【０１４７】
なお、第１接ぎ木用部材としての接ぎ木用部材１０１と、第２接ぎ木用部材としての接ぎ木用部材１０１とは、必ずしも完全に同じ形状でなくてもよい。つまり、第２接ぎ木用部材は、第１接ぎ木用部材と形状が異なる部分を有してもよい。
【０１４８】
接ぎ木用部材１０１は、穂木ユニット１０２と、台木ユニット１０３と、第１固定具１０４と、第２固定具１０５と、支持ユニット１０６とを備える。図１５は、これらのパーツが組み立てられた状態を示しているが、各パーツは、着脱可能に構成されている。各パーツは、後述する緩衝部材を除き、例えば、樹脂、金属等で形成することができる。
【０１４９】
接ぎ木用部材１０１は、図１６に示すように、複数の植物Ｐを内部に保持可能に構成されている。なお、図１６では、５つの植物Ｐが保持されているが、接ぎ木用部材１０１が保持する植物Ｐの数は５に限定されない。また、植物Ｐの種類は、特に限定されない。
【０１５０】
＜穂木ユニット＞
穂木ユニット１０２は、図１７Ａに示すように、第１板部１２１と、第１板部１２１を支持する第１枠部１２３とを有する。
【０１５１】
第１板部１２１は、後述する第１固定具１０４の押付方向（つまり、挿入方向）Ｉと平行、かつ、植物Ｐの茎の軸と垂直な板面を有する板状の部位である。第１板部１２１は、複数の植物Ｐの茎にそれぞれ第１位置Ｐ１（図１６参照）で当接する複数の第１当接部１２４を有する。第１位置Ｐ１は、植物Ｐの切断位置よりも植物Ｐの先端（つまり茎頂）に近い位置である。
【０１５２】
第１当接部１２４は、第１固定具１０４の第１押付部１４１（図２０Ａ参照）と共に植物Ｐの茎を挟んで固定する。第１当接部１２４は、第１板部１２１に設けられた切欠きである。複数の第１当接部１２４は、第１固定具１０４の押付方向Ｉと交差する方向に並列して配置されている。各第１当接部１２４は、２つの第１受容面１２５Ａ，１２５Ｂと、２つの第１ゲート部１２５Ｄ，１２５Ｅと、第１凸部１２６（図１７Ｃ参照）と、を有する。
【０１５３】
２つの第１受容面１２５Ａ，１２５Ｂは、穂木ユニット１０２に取付られる第１固定具１０４の第１押付部１４１と対向する位置に設けられると共に、互いの距離が第１固定具１０４の押付方向Ｉに沿って小さくなっている。
【０１５４】
図１７Ｂに示すように、２つの第１受容面１２５Ａ，１２５Ｂの形状は、植物Ｐの茎の軸と平行な方向（以下、「植物Ｐの軸方向」ともいう。）から視て滑らかに湾曲した曲線である。なお、２つの第１受容面１２５Ａ，１２５Ｂの植物Ｐの軸方向における縁は、面取りされている。また、植物Ｐの茎の軸は、例えば鉛直方向と平行である。
【０１５５】
２つの第１ゲート部１２５Ｄ，１２５Ｅは、それぞれ、第１当接部１２４を構成する切欠きの入口（つまり、２つの第１受容面１２５Ａ，１２５Ｂの外側）に配置されている。２つの第１ゲート部１２５Ｄ，１２５Ｅは、互いに対向する向きに突出している。第１ゲート部１２５Ｄ，１２５Ｅは、第１当接部１２４内に配置された植物Ｐが、第１固定具１０４の固定前に第１当接部１２４の外に移動することを抑制する。
【０１５６】
なお、第１当接部１２４は、必ずしも２つの第１ゲート部１２５Ｄ，１２５Ｅを有しなくてもよい。つまり、第１受容面１２５Ａ，１２５Ｂは、第１板部１２１の端面まで到達していてもよい。
【０１５７】
図１７Ｃに示すように、第１凸部１２６は、２つの第１受容面１２５Ａ，１２５Ｂの連結部１２５Ｃ（つまり、第１当接部１２４の最も内側の部分）に設けられると共に、第１受容面１２５Ａ，１２５Ｂよりも植物Ｐの軸方向に突出した部位である。具体的には、第１凸部１２６は、第１板部１２１の下面から植物Ｐの根に向かう方向に突出している。第１凸部１２６の先端は、円弧状に湾曲している。
【０１５８】
第１凸部１２６は、図１７Ｂに示すように、植物Ｐの軸方向から視て押付方向Ｉに円弧状に凹んだ湾曲面を有する。第１当接部１２４に配置された植物Ｐの茎は、この湾曲面に押し当てられる。
【０１５９】
穂木ユニット１０２は、図１７Ａに示すように、第１固定具１０４を固定するための２つのスリット１２９Ａ，１２９Ｂと、２つの溝１２９Ｃ，１２９Ｄとを有する。スリット１２９Ａ，１２９Ｂは、それぞれ、第１板部１２１と第１枠部１２３との間に設けられ、押付方向Ｉと平行に延伸している。溝１２９Ｃ，１２９Ｄは、それぞれ、第１板部１２１の一部が厚み方向に凹むことで形成された溝であり、押付方向Ｉと平行に延伸している。
【０１６０】
第１枠部１２３は、図１７Ｂに示すように、穂木ユニット１０２と台木ユニット１０３とを着脱可能に固定するための固定機構であるピン１２７Ａと、孔１２７Ｂとを有する。ピン１２７Ａ及び孔１２７Ｂは、台木ユニット１０３と対向及び当接する部分（つまり、第１枠部１２３の下面）に配置され、台木ユニット１０３に設けられたピン１３７Ａ及び孔１３７Ｂとそれぞれ嵌合する。
【０１６１】
第１接ぎ木用部材としての接ぎ木用部材１０１の穂木ユニット１０２は、第１固定具１０４が固定された状態で、第２固定具１０５が固定された状態の第２接ぎ木用部材としての接ぎ木用部材１０１の台木ユニット１０３に装着可能に構成されている。
【０１６２】
＜台木ユニット＞
台木ユニット１０３は、図１８に示すように、第２板部１３１と、第２板部１３１を支持する第２枠部１３３とを有する。
【０１６３】
第２板部１３１は、後述する第２固定具１０５の押付方向Ｉと平行、かつ、植物Ｐの茎の軸と垂直な板面を有する板状の部位である。第２板部１３１は、複数の植物Ｐの茎にそれぞれ第２位置Ｐ２（図１６参照）で当接する複数の第２当接部１３４を有する。第２位置Ｐ２は、植物Ｐの切断位置よりも植物Ｐの根に近い位置である。
【０１６４】
第２当接部１３４は、第２固定具１０５の第２押付部１５１（図２２参照）と共に植物Ｐの茎を挟んで固定する。複数の第２当接部１３４は、第２固定具１０５の押付方向Ｉと交差する方向に並列して配置されている。各第２当接部１３４は、２つの第２受容面１３５Ａ，１３５Ｂと、２つの第２ゲート部１３５Ｄ，１３５Ｅと、第２凸部１３６とを有する。また、各第２当接部１３４は、穂木ユニット１０２と台木ユニット１０３とが固定された状態で対応する第１当接部１２４と重なる位置に配置されている。
【０１６５】
本実施形態では、台木ユニット１０３は、植物Ｐの茎の軸と垂直な面（つまり水平面）に対し穂木ユニット１０２と対称な形状である。つまり、台木ユニット１０３は、穂木ユニット１０２を構成する部材を上下反転させて配置したものである。そのため、複数の第２当接部１３４と複数の第１当接部１２４とは同形状である。ただし、台木ユニット１０３は穂木ユニット１０２と部分的に異なる部位を有してもよい。
【０１６６】
２つの第２受容面１３５Ａ，１３５Ｂは、台木ユニット１０３に取付られる第２固定具１０５の第２押付部１５１と対向する位置に設けられると共に、互いの距離が第２固定具１０５の押付方向Ｉに沿って小さくなっている。２つの第２ゲート部１３５Ｄ，１３５Ｅは、それぞれ、第２当接部１３４を構成する切欠きの入口に配置されている。
【０１６７】
第２受容面１３５Ａ，１３５Ｂ及び第２ゲート部１３５Ｄ，１３５Ｅは、穂木ユニット１０２の第１受容面１２５Ａ，１２５Ｂ及び第１ゲート部１２５Ｄ，１２５Ｅと同じ形状を有する。そのため、これらの詳細な説明は省略する。なお、第２当接部１３４は、必ずしも２つの第２ゲート部１３５Ｄ，１３５Ｅを有しなくてもよい。
【０１６８】
第２凸部１３６は、２つの第２受容面１３５Ａ，１３５Ｂの連結部分１３５Ｃ（つまり、第２当接部１３４の最も内側の部分）に設けられると共に、第２受容面１３５Ａ，１３５Ｂよりも植物Ｐの軸方向に突出した部位である。具体的には、第２凸部１３６は、第２板部１３１の上面から植物Ｐの先端に向かう方向に突出している。また、第２凸部１３６の先端は、円弧状に湾曲している。
【０１６９】
台木ユニット１０３は、２つのスリット１３９Ａ，１３９Ｂと、２つの溝１３９Ｃ，１３９Ｄと、ピン１３７Ａと、孔１３７Ｂと、２つの下部孔１３８Ａ，１３８Ｂとを有する。スリット１３９Ａ，１３９Ｂと、溝１３９Ｃ，１３９Ｄと、ピン１３７Ａと、孔１３７Ｂとは、穂木ユニット１０２のスリット１２９Ａ，１２９Ｂと、溝１２９Ｃ，１２９Ｄと、ピン１２７Ａと、孔１２７Ｂとそれぞれ同じ形状である。
【０１７０】
２つの下部孔１３８Ａ，１３８Ｂは、支持ユニット１０６を台木ユニット１０３に固定する固定機構を構成する。２つの下部孔１３８Ａ，１３８Ｂは、支持ユニット１０６と対向及び当接する部分（つまり、第２枠部１３３の下面）に配置され、支持ユニット１０６に設けられた２つのピン１６３Ａ，１６３Ｂ（図２３参照）とそれぞれ嵌合する。
【０１７１】
＜第１固定具＞
第１固定具１０４は、図１９に示すように、穂木ユニット１０２に固定可能に構成された部材である。本実施形態では、第１固定具１０４は、水平方向に、穂木ユニット１０２の第１板部１２１と重なるように挿入される。これにより、第１固定具１０４は、穂木ユニット１０２に固定される。
【０１７２】
第１固定具１０４は、図２０Ａに示すように、穂木ユニット１０２の複数の第１当接部１２４にそれぞれ植物Ｐの茎を押し付ける複数の第１押付部１４１を有する。第１押付部１４１は、第１固定具１０４の押付方向Ｉにおいて、第１当接部１２４と対向する位置に配置される。
【０１７３】
複数の第１押付部１４１は、第１固定具１０４の押付方向Ｉと交差する方向に並列して配置されている。各第１押付部１４１は、２つの第１ガイド面１４２Ａ，１４２Ｂと、第１緩衝部材１４２Ｃとを有する。
【０１７４】
第１緩衝部材１４２Ｃは、対応する第１当接部１２４に植物Ｐの茎を押し付ける板状の部材である。第１緩衝部材１４２Ｃは、植物Ｐの茎が当接することによって一定量変形可能な材料で構成されている。
【０１７５】
第１緩衝部材１４２Ｃの形成材料としては、例えばスポンジ等の多孔質体が挙げられる。また、第１緩衝部材１４２Ｃの形成材料として、ゴム等の弾性体を用いてもよい。なお、図２０Ａ等では、第１緩衝部材１４２Ｃの平面形状は四角形であるが、第１緩衝部材１４２Ｃの平面形状は、例えば、三角形、円形等であってもよい。
【０１７６】
図２０Ｂに示すように、２つの第１ガイド面１４２Ａ，１４２Ｂは、平面視で、互いに離間して第１緩衝部材１４２Ｃよりも第１固定具１０４の押付方向Ｉに突出している。また、２つの第１ガイド面１４２Ａ，１４２Ｂは、穂木ユニット１０２の第１当接部１２４と対向する位置に配置されると共に、互いの距離が第１固定具１０４の押付方向Ｉに沿って大きくなっている。
【０１７７】
具体的には、第１緩衝部材１４２Ｃは、押付方向Ｉと垂直な方向に延伸する枠部１４５から押付方向Ｉに突出する支持部１４７に例えば接着剤によって固定されている。支持部１４７は、図２０Ｃに示すように、第１緩衝部材１４２Ｃが厚み方向に重ね合わされる板状の延出部１４６を有する。支持部１４７は、第１固定具１０４が穂木ユニット１０２に固定された状態で、穂木ユニット１０２の第１板部１２１と厚み方向に重なる。また、延出部１４６は、第１固定具１０４の挿入時に、第１板部１２１の板面と摺動する。本実施形態では、第１緩衝部材１４２Ｃは、延出部１４６の表面に固定されているが、支持部１４７の延出部１４６以外の部分の表面に固定されてもよい。
【０１７８】
２つの第１ガイド面１４２Ａ，１４２Ｂは、延出部１４６の端面によって構成されている。また、第１緩衝部材１４２Ｃは、２つの第１ガイド面１４２Ａ，１４２Ｂの一部と植物Ｐの軸方向（つまり、第１緩衝部材１４２Ｃの厚み方向）に重なるように配置されている。
【０１７９】
図２０Ａに示すように、２つの第１ガイド面１４２Ａ，１４２Ｂの形状は、植物Ｐの軸方向から視て滑らかに湾曲した曲線である。なお、２つの第１ガイド面１４２Ａ，１４２Ｂの植物Ｐの軸方向における縁は、面取りされている。
【０１８０】
第１緩衝部材１４２Ｃの端部は、第１緩衝部材１４２Ｃの厚み方向から視て、２つの第１ガイド面１４２Ａ，１４２Ｂの一部と共にＣ字状の凹部を形成している。第１当接部１２４に配置された植物Ｐの茎は、第１押付部１４１の第１緩衝部材１４２Ｃと、第１当接部１２４の第１凸部１２６とに当接する。また、植物Ｐの茎は、第１当接部１２４と第１押付部１４１とに保持されることで、茎の径方向の移動が規制される。
【０１８１】
なお、延出部１４６は必ずしも板状である必要はなく、図２１Ａ又は図２１Ｂに示すように、枠部１４５の厚みと同等の厚みを有する形状であってもよい。図２１Ａ又は図２１Ｂの構成では、第１緩衝部材１４２Ｃ（図２１Ａ及び図２１Ｂでは図示省略）は、２つの第１ガイド面１４２Ａ，１４２Ｂの間に配置された載置部１４８の上に載置され、載置部１４８の上面、又は延出部１４６の側面１４６Ａに固定される。
【０１８２】
図２０Ａに示すように、第１固定具１０４は、２つのスナップ部１４４Ａ，１４４Ｂと、２つのブロック１４４Ｃ，１４４Ｄと、２つの爪部１４４Ｅ，１４４Ｆとを有する。２つのスナップ部１４４Ａ，１４４Ｂは、枠部１４５から押付方向Ｉに突出し、複数の第１押付部１４１を挟む位置に設けられている。２つのブロック１４４Ｃ，１４４Ｄ及び２つの爪部１４４Ｅ，１４４Ｆは、枠部１４５から押付方向Ｉに突出し、複数の第１押付部１４１の間にそれぞれ設けられている。
【０１８３】
スナップ部１４４Ａ，１４４Ｂは、穂木ユニット１０２に第１固定具１０４を着脱可能に固定するための固定機構であり、穂木ユニット１０２のスリット１２９Ａ，１２９Ｂに挿入される。スナップ部１４４Ａ，１４４Ｂは、スリット１２９Ａ，１２９Ｂ内に設けられた凸部に係止可能なフック状の先端部を有する。
【０１８４】
ブロック１４４Ｃ，１４４Ｄ及び爪部１４４Ｅ，１４４Ｆは、第１固定具１０４の押付方向Ｉに沿った挿入をガイドするためのガイド機構である。ブロック１４４Ｃ，１４４Ｄは、穂木ユニット１０２の溝１２９Ｃ，１２９Ｄに挿入される。爪部１４４Ｅ，１４４Ｆは、穂木ユニット１０２の第１板部１２１の板面と重なる。
【０１８５】
＜第２固定具＞
第２固定具１０５は、図１９に示すように、台木ユニット１０３に固定可能に構成された部材である。本実施形態では、第２固定具１０５は、水平方向に、台木ユニット１０３の第２板部１３１と重なるように挿入される。これにより、第２固定具１０５は、台木ユニット１０３に固定される。
【０１８６】
第２固定具１０５は、図２２に示すように、台木ユニット１０３の複数の第２当接部１３４にそれぞれ植物Ｐの茎を押し付ける複数の第２押付部１５１を有する。第２押付部１５１は、第２固定具１０５の押付方向Ｉにおいて、第２当接部１３４と対向する位置に配置される。
【０１８７】
複数の第２押付部１５１は、第２固定具１０５の押付方向Ｉと交差する方向に並列して配置されている。各第２押付部１５１は、２つの第２ガイド面１５２Ａ，１５２Ｂと、第２緩衝部材１５２Ｃとを有する。
【０１８８】
本実施形態では、第２固定具１０５は、植物Ｐの茎の軸と垂直な面（つまり水平面）に対し第１固定具１０４と対称な形状である。つまり、第２固定具１０５は、第１固定具１０４を上下反転させたものである。ただし、第２固定具１０５は第１固定具１０４と部分的に異なる部位を有してもよい。
【０１８９】
第２緩衝部材１５２Ｃは、対応する第２当接部１３４に植物Ｐの茎を押し付ける板状の部材である。２つの第２ガイド面１５２Ａ，１５２Ｂは、平面視で、互いに離間して第２緩衝部材１５２Ｃよりも第２固定具１０５の押付方向Ｉに突出している。また、２つの第２ガイド面１５２Ａ，１５２Ｂは、台木ユニット１０３の第２当接部１３４と対向する位置に配置されると共に、互いの距離が第２固定具１０５の押付方向Ｉに沿って大きくなっている。
【０１９０】
第２ガイド面１５２Ａ，１５２Ｂ及び第２緩衝部材１５２Ｃは、第１固定具１０４の第１押付部１４１の第１ガイド面１４２Ａ，１４２Ｂ及び第１緩衝部材１４２Ｃと同じ形状を有する。そのため、これらの詳細な説明は省略する。
【０１９１】
第２固定具１０５は、枠部１５５からそれぞれ突出する２つのスナップ部１５４Ａ，１５４Ｂと、２つのブロック１５４Ｃ，１５４Ｄと、２つの爪部１５４Ｅ，１５４Ｆとを有する。スナップ部１５４Ａ，１５４Ｂ、ブロック１５４Ｃ，１５４Ｄ及び爪部１５４Ｅ，１５４Ｆは、それぞれ、第１固定具１０４のスナップ部１４４Ａ，１４４Ｂ、ブロック１４４Ｃ，１４４Ｄ及び爪部１４４Ｅ，１４４Ｆと同じ形状である。
【０１９２】
２つのスナップ部１５４Ａ，１５４Ｂは、台木ユニット１０３のスリット１３９Ａ，１３９Ｂに挿入される。２つのブロック１５４Ｃ，１５４Ｄは、台木ユニット１０３の溝１３９Ｃ，１３９Ｄに挿入される。
【０１９３】
図１５に示すように、穂木ユニット１０２に固定された第１固定具１０４と、台木ユニット１０３に固定された第２固定具１０５との間には、植物Ｐの茎を露出させる空間Ｓが設けられる。この空間Ｓにて茎を切断することで、植物Ｐの穂木及び台木を得ることができる。
【０１９４】
＜支持ユニット＞
支持ユニット１０６は、図１６に示すように、植物Ｐの根が収納されたポッドＱを支持する部材である。
【０１９５】
支持ユニット１０６は、図２３に示すように、本体１６１と、複数の仕切り板１６４と、２つのピン１６３Ａ，１６３Ｂとを有する。本実施形態では、支持ユニット１０６は、台木ユニット１０３に着脱可能に構成されている。
【０１９６】
本体１６１には、複数の植物Ｐのポッドが挿入可能な内部空間が複数の仕切り板１６４によって設けられている。２つのピン１６３Ａ，１６３Ｂは、台木ユニット１０３と対向及び当接する部分（つまり本体１６１の上面）に配置され、台木ユニット１０３の下部孔１３８Ａ，１３８Ｂとそれぞれ嵌合する。
【０１９７】
［３−２．効果］
以上詳述した実施形態によれば、以下の効果が得られる。
【０１９８】
（３ａ）第１当接部１２４及び第１押付部１４１、並びに第２当接部１３４及び第２押付部１５１によって、穂木ユニット１０２及び台木ユニット１０３それぞれにおいて、植物Ｐの茎を切断部分の近傍の上下２カ所で固定できるので、接合する茎の位置精度を高められる。また、第１緩衝部材１４２Ｃ及び第２緩衝部材１５２Ｃによって茎の位置ずれを抑制できる。その結果、接ぎ木の精度が高められる。
【０１９９】
（３ｂ）第１緩衝部材１４２Ｃよりも突出する２つの第１ガイド面１４２Ａ，１４２Ｂ、及び第２緩衝部材１５２Ｃよりも突出する２つの第２ガイド面１５２Ａ，１５２Ｂによって、第１緩衝部材１４２Ｃ及び第２緩衝部材１５２Ｃへ容易かつ的確に植物Ｐの茎を誘導することができる。
【０２００】
（３ｃ）第１緩衝部材１４２Ｃ及び第２緩衝部材１５２Ｃが、２つの第１ガイド面１４２Ａ，１４２Ｂ又は２つの第２ガイド面１５２Ａ，１５２Ｂの一部と植物Ｐの軸方向に重なるように配置されることで、第１緩衝部材１４２Ｃ及び第２緩衝部材１５２Ｃの第１固定具１０４又は第２固定具１０５への配置が容易になる。その結果、第１緩衝部材１４２Ｃ及び第２緩衝部材１５２Ｃの交換が容易に行える。
【０２０１】
（３ｄ）穂木ユニット１０２のピン１２７Ａ及び孔１２７Ｂと、台木ユニット１０３のピン１３７Ａ及び孔１３７Ｂとによる固定機構によって、接合後の台木と穂木とを互いに押し付けることができる。その結果、養生中や輸送中における台木と穂木との分離を抑制できる。
【０２０２】
［４．第４実施形態］
［４−１．構成］
図２４に示す接ぎ木用部材２０１は、植物を切断して穂木及び台木を得ると共に、得られた穂木及び台木を接合するためのカセット状の部材である。
【０２０３】
図２４の接ぎ木用部材２０１は、穂木を得るための第１接ぎ木用部材としても、台木を得るための第２接ぎ木用部材としても使用可能に構成されている。つまり、本実施形態の接ぎ木用部材セットは、第１接ぎ木用部材としての接ぎ木用部材２０１と、第２接ぎ木用部材としての接ぎ木用部材２０１とを備える。
【０２０４】
接ぎ木用部材２０１は、穂木ユニット２０２と、台木ユニット２０３と、第１固定具２０４と、第２固定具２０５と、支持ユニット２０６とを備える。接ぎ木用部材２０１は、図１５の接ぎ木用部材１０１における穂木ユニット１０２、台木ユニット１０３、第１固定具１０４、及び第２固定具１０５をアレンジしたものである。接ぎ木用部材２０１の支持ユニット２０６は、図１５の接ぎ木用部材１０１の支持ユニット１０６と同等のものであるため、説明を省略する。
【０２０５】
＜穂木ユニット＞
穂木ユニット２０２は、図２５Ａに示すように、第１板部２２１と、第１板部２２１を支持する第１枠部１２３とを有する。以下では、穂木ユニット２０２の構成のうち、図１５の穂木ユニット１０２と同じものは、同一の符号を付して説明を省略する。
【０２０６】
第１板部２２１は、図１５の接ぎ木用部材１０１の第１板部１２１と同様に、複数の植物Ｐの茎にそれぞれ当接する複数の第１当接部２２４を有する。第１当接部２２４は、平面視での形状が異なる点を除いて、図１５の接ぎ木用部材１０１の第１当接部１２４と同等のものである。
【０２０７】
各第１当接部２２４は、２つの第１受容面２２５Ａ，２２５Ｂと、第１凸部１２６（図２５Ｃ参照）とを有する。２つの第１受容面２２５Ａ，２２５Ｂは、穂木ユニット２０２に取付られる第１固定具２０４の第１押付部２４１と対向する位置に設けられると共に、互いの距離が第１固定具２０４の押付方向Ｉに沿って小さくなっている。
【０２０８】
図２５Ｂに示すように、２つの第１受容面１２５Ａ，１２５Ｂは、それぞれ、植物Ｐの軸方向から視て滑らかに湾曲した曲線部２２５Ｄと、植物の茎の軸と平行な平面で構成された平面部２２５Ｅとを有する。
【０２０９】
平面部２２５Ｅは、２つの第１受容面１２５Ａ，１２５Ｂの連結部分１２５Ｃ（つまり第１凸部１２６）に連続して設けられている。平面部２２５Ｅは、曲線部２２５Ｄよりも内側、つまり、曲線部２２５Ｄと第１凸部１２６との間に配置されている。
【０２１０】
＜台木ユニット＞
台木ユニット２０３は、植物Ｐの茎の軸と垂直な面（つまり水平面）に対し穂木ユニット２０２と対称な形状である。つまり、台木ユニット２０３は、穂木ユニット２０２を構成する部材を上下反転させて配置したものである。
【０２１１】
そのため、台木ユニット２０３は、図１５の台木ユニット１０３における第２当接部１３４の形状を穂木ユニット２０２の第１当接部２２４と同じ形状にしたものである。ただし、台木ユニット２０３は穂木ユニット２０２と部分的に異なる部位を有してもよい。
【０２１２】
＜第１固定具＞
第１固定具２０４は、穂木ユニット２０２に固定可能に構成された部材である。第１固定具２０４は、図２６Ａ，２６Ｂに示すように、穂木ユニット２０２の複数の第１当接部２２４にそれぞれ植物Ｐの茎を押し付ける複数の第１押付部２４１と、複数の第１押付部２４１に跨って配置された第１緩衝部材構成体２４３を有する。以下では、第１固定具２０４の構成のうち、図１５の第１固定具１０４と同じものは、同一の符号を付して説明を省略する。
【０２１３】
第１押付部２４１は、第１固定具２０４の押付方向Ｉにおいて、第１当接部２２４と対向する位置に配置される。各第１押付部２４１は、２つの第１ガイド面２４２Ａ，２４２Ｂと、第１緩衝部材２４２Ｃとを有する。
【０２１４】
第１ガイド面２４２Ａ，２４２Ｂと第１緩衝部材２４２Ｃとは、図１５の第１固定具１０４の第１押付部１４１における第１ガイド面１４２Ａ，１４２Ｂと第１緩衝部材１４２Ｃと同じ機能を有する。
【０２１５】
複数の第１押付部２４１が有する第１緩衝部材２４２Ｃは、それぞれ、第１緩衝部材構成体２４３の一部である。具体的には、図２６Ｂ，２６Ｃに示すように、第１緩衝部材構成体２４３のうち、複数の壁部２４７の間から露出した部位が、各第１緩衝部材２４２Ｃを構成している。
【０２１６】
第１緩衝部材構成体２４３の材質は、図１５の第１固定具１０４における第１緩衝部材１４２Ｃと同様である。第１緩衝部材構成体２４３は、棒状であり、長手方向が第１固定具２０４の押付方向Ｉと交差するように配置されている。
【０２１７】
具体的には、第１緩衝部材構成体２４３は、枠部１４５と、枠部１４５に対し押付方向Ｉに離間して配置された複数の壁部２４７との間に設けられた溝に配置されている。複数の壁部２４７は、押付方向Ｉと交差する方向に延伸し、延伸方向の端部が第１ガイド面１４２Ａ，１４２Ｂを構成している。
【０２１８】
第１緩衝部材構成体２４３は、枠部１４５、複数の壁部２４７、又は枠部１４５から延出した延出部２４６に例えば接着剤によって固定されている。延出部２４６は、枠部１４５と複数の壁部２４７とを連結する部位であり、第１緩衝部材構成体２４３が配置された溝の底面を構成している。
【０２１９】
＜第２固定具＞
第２固定具２０５は、台木ユニット２０３に固定可能に構成された部材である。第２固定具２０５は、植物Ｐの茎の軸と垂直な面（つまり水平面）に対し第１固定具２０４と対称な形状である。つまり、第２固定具２０５は、第１固定具２０４を上下反転させたものである。
【０２２０】
そのため、第２固定具２０５は、図１５の第２固定具１０５に対し、複数の第２押付部１５１に跨るように第２緩衝部材構成体を配置することによって得られる。ただし、第２固定具２０５は第１固定具２０４と部分的に異なる部位を有してもよい。
【０２２１】
［４−２．効果］
以上詳述した実施形態によれば、以下の効果が得られる。
【０２２２】
（４ａ）第１固定具２０４及び第２固定具２０５の複数の緩衝部材を１つの緩衝部材構成体によって構成することで、固定具に配置する部品の点数を減らすことができる。その結果、緩衝部材の取り付け及び交換が容易になる。
【０２２３】
（４ｂ）穂木ユニット２０２及び台木ユニット２０３の受容面がそれぞれ平面部を有することで、第１固定具２０４及び第２固定具２０５によって、植物の茎の噛み込みを抑制しつつ、茎を所定位置に的確に誘導できる。
【０２２４】
［５．第５実施形態］
［５−１．構成］
図２７に示す接ぎ木苗の生産方法は、図１の接ぎ木用部材１、図９の接ぎ木用部材１０、図１５の接ぎ木用部材１０１、又は図２４の接ぎ木用部材２０１を使用して、穂木と台木とを接ぎ木した苗を生産する方法である。なお、以下では図１の接ぎ木用部材１を用いて各工程を説明する。
【０２２５】
本実施形態の接ぎ木苗の生産方法は、用意工程Ｓ１０と、第１当接工程Ｓ２０と、第１固定工程Ｓ３０と、第１切断工程Ｓ４０と、第２当接工程Ｓ５０と、第２固定工程Ｓ６０と、第２切断工程Ｓ７０と、接合工程Ｓ８０と、養生工程Ｓ９０とを備える。
【０２２６】
＜用意工程＞
本工程では、第１接ぎ木用部材としての接ぎ木用部材１と、第２接ぎ木用部材としての接ぎ木用部材１とを用意する。
【０２２７】
＜第１当接工程＞
本工程では、穂木ユニット２に台木ユニット３を装着し、かつ第１固定具４及び第２固定具５を装着していない状態で、第１接ぎ木用部材における穂木ユニット２の複数の第１当接部２４に穂木を供給する複数の第１植物の茎を当接させると共に、第１接ぎ木用部材における台木ユニット３の複数の第２当接部３４に複数の第１植物の茎を当接させる。
【０２２８】
上記作業では、複数の第１植物のポッドを台木ユニット３に装着された支持ユニット６に挿入する。なお、支持ユニット６に複数の第１植物のポッドを挿入してから、支持ユニット６に台木ユニット３を装着してもよい。
【０２２９】
＜第１固定工程＞
本工程では、第１接ぎ木用部材における第１固定具４及び第２固定具５の穂木ユニット２及び台木ユニット３への固定により、複数の第１当接部２４と複数の第１押付部４１との間、及び複数の第２当接部３４と複数の第２押付部５１との間で複数の第１植物の茎を固定する。なお、第１固定具４及び第２固定具５の固定する順番は問わない。
【０２３０】
＜第１切断工程＞
本工程では、第１接ぎ木用部材における第１固定具４と第２固定具５との間の空間Ｓ（つまり、第１固定具４よりも第１植物の根に近い位置）で、複数の第１植物の茎を同時に切断する。
【０２３１】
＜第２当接工程＞
本工程は、第１接ぎ木用部材に替えて第２接ぎ木用部材を用い、第１植物に替えて台木を供給する第２植物を用いる点以外は、第１当接工程Ｓ２０と同じである。
【０２３２】
＜第２固定工程＞
本工程は、第２接ぎ木用部材と第２植物とを用いる点以外は、第１固定工程Ｓ３０と同じである。
【０２３３】
＜第２切断工程＞
本工程は、第２接ぎ木用部材と第２植物とを用いて第１固定具４と第２固定具５との間の空間Ｓ（つまり、第２固定具５よりも第２植物の根から離れた位置）で切断する点以外は、第１切断工程Ｓ４０と同じである。ただし、接合性の観点から、第２植物の切断は、第１植物の切断位置よりも植物の先端に近い位置で行うとよい。
【０２３４】
＜接合工程＞
本工程では、第１接ぎ木用部材の穂木ユニット２によって固定された複数の第１植物の茎の切断面と、第２接ぎ木用部材の台木ユニット３によって固定された複数の第２植物の茎の切断面とを同時に接合する。
【０２３５】
＜養生工程＞
本工程では、第１植物由来の穂木と、第２植物由来の台木とを接合して得られた植物を養生する。この養生は、例えば弱光下の明所で行われる。
【０２３６】
なお、第１接ぎ木用部材の第１固定具４及び第２接ぎ木用部材の第２固定具５は、それぞれ、養生工程Ｓ９０まで穂木ユニット２又は台木ユニット３に固定された状態が維持される。
【０２３７】
［５−２．効果］
以上詳述した実施形態によれば、以下の効果が得られる。
【０２３８】
（５ａ）接ぎ木用部材１を用いることで、接ぎ木の精度が高められる。また、生育後の第１植物及び第２植物を使用するため、接ぎ木苗の生産性が高められる。さらに、植物のサイズを問わず、接ぎ木を行うことができる。また、１種の接ぎ木用部材１を穂木用と台木用とに共通して使用できるため、設備コストを低減できる。
【０２３９】
［６．第６実施形態］
［６−１．構成］
図２８に示す接ぎ木用部材セット３００は、第１接ぎ木用部材３０１Ａと、第２接ぎ木用部材３０１Ｂとを備える。接ぎ木用部材セット３００では、第１接ぎ木用部材３０１Ａと第２接ぎ木用部材３０１Ｂとの形状が異なる。
【０２４０】
第１接ぎ木用部材３０１Ａは、図１の接ぎ木用部材１から台木ユニット３の第２上板部３１、第２下板部３２及び第２当接部３４（つまり、第２枠部３３以外の部位）、並びに第２固定具５を取り除いたものである。第１接ぎ木用部材３０１Ａの穂木ユニット２、第２枠部３３、第１固定具４及び支持ユニット６は、図１の接ぎ木用部材１と同じものである。第１接ぎ木用部材３０１Ａでは、植物は第１固定具４と第２枠部３３との間の空間において切断される。
【０２４１】
第２接ぎ木用部材３０１Ｂは、図１の接ぎ木用部材１から穂木ユニット２及び第１固定具４を取り除いたものである。第２接ぎ木用部材３０１Ｂの台木ユニット３、第２固定具５及び支持ユニット６は、図１の接ぎ木用部材１と同じものである。第２接ぎ木用部材３０１Ｂでは、植物は台木ユニット３の上面に沿った位置で切断される。
【０２４２】
図２９に示すように、第１接ぎ木用部材３０１Ａの第２枠部３３の上面（つまり、穂木ユニット２と対向する面）には、第１固定具４が挿入される側の端部に他の部分よりも高さが小さくされた凹部（段差）３３Ｅ，３３Ｆが形成されている。つまり、第１接ぎ木用部材３０１Ａでは、第２接ぎ木用部材３０１Ｂの切断位置（つまり、台木ユニット３の上面）よりも下側で植物が切断される。
【０２４３】
［６−２．効果］
以上詳述した実施形態によれば、以下の効果が得られる。
【０２４４】
（６ａ）第１接ぎ木用部材３０１Ａでは、凹部３３Ｅ，３３Ｆによって、第２接ぎ木用部材３０１Ｂよりも植物の根に近い位置で植物を切断することができる。そのため、台木の切断位置が穂木の切断位置よりも植物の先端に近い位置になり、植物の軸方向にオーバーラップする部位が生じるため、台木と穂木との接合性が向上する。
【０２４５】
（６ｂ）第１接ぎ木用部材３０１Ａ及び第２接ぎ木用部材３０１Ｂは、それぞれ穂木又は台木を得るための必要最低限の構成とされているため、図１の接ぎ木用部材１よりも部品点数が削減される。その結果、各接ぎ木用部材のコストが低減できる。
【０２４６】
［７．他の実施形態］
以上、本開示の実施形態について説明したが、本開示は、上記実施形態に限定されることなく、種々の形態を採り得ることは言うまでもない。
【０２４７】
（７ａ）上記実施形態の接ぎ木用部材において、第１凸部及び第２凸部は、必ずしも２つの第１受容面又は２つの第２受容面から離間するに連れて幅が小さくならなくてもよい。また、第１当接部及び第２当接部は、必ずしも第１凸部又は第２凸部を有さなくてもよい。
【０２４８】
（７ｂ）上記実施形態の接ぎ木用部材において、２つの第１受容面の形状、２つの第１ガイド面の形状、２つの第２受容面の形状、及び２つの第２ガイド面の形状は、それぞれ、必ずしも植物の軸方向から視て湾曲した曲線でなくてもよい。つまり、これらの面の形状は、植物の軸方向から視て直線（つまり平坦面）であってもよい。
【０２４９】
（７ｃ）上記実施形態の接ぎ木用部材において、第１押付部及び第２押付部は、それぞれ、必ずしも緩衝部材を有しなくてもよい。また、第１押付部及び第２押付部は、それぞれ、必ずしも２つの第１ガイド面及び２つの第２ガイド面を有しなくてもよい。
【０２５０】
（７ｄ）上記実施形態の接ぎ木用部材において、第１固定具及び第２固定具の押付方向は、水平方向に限定されない。また、第１固定具及び第２固定具は、必ずしも穂木ユニット又は台木ユニットに挿入されなくてもよい。例えば、第１固定具及び第２固定具は、穂木ユニット又は台木ユニットに押し当てられた状態で、他の部材によって固定されてもよい。
【０２５１】
（７ｅ）上記実施形態の接ぎ木用部材において、台木ユニットに対し穂木ユニットを固定する固定機構、穂木ユニットに第１固定具を固定する固定機構、及び台木ユニットに第２固定具を固定する固定機構として、上記実施形態で示した磁石、凸部と孔との組み合わせ、及びスナップ機構以外の機構を用いてもよい。さらに、接ぎ木用部材は、これらの固定機構を必ずしも備えなくてもよい。
【０２５２】
（７ｆ）上記実施形態の接ぎ木用部材において、支持ユニットは、台木ユニットに着脱不可能に固定（つまり一体化）されていてもよい。また、接ぎ木用部材は、必ずしも支持ユニットを備えなくてもよい。
【０２５３】
（７ｇ）上記実施形態の接ぎ木苗の生産方法において、図１の接ぎ木用部材１に替えて、図２８の接ぎ木用部材セット３００の第１接ぎ木用部材３０１Ａ及び第２接ぎ木用部材３０１Ｂを用いてもよい。この場合、第１当接工程では、第２当接部３４へ第１植物の茎が当接されなくてもよく、第２当接工程では、第１当接部２４へ第２植物の茎が当接されなくてもよい。また、第１固定工程では、第２固定具５が固定されなくてもよく、第２固定工程では、第１固定具４が固定されなくてもよい。
【０２５４】
（７ｈ）上記実施形態の接ぎ木用部材は、１つの植物を保持可能に構成されてもよい。また、上記実施形態の接ぎ木苗の生産方法において、１つの第１植物及び１つの第２植物に対して、各工程を行ってもよい。
【０２５５】
（７ｉ）上記実施形態の接ぎ木用部材は、台木ユニットに着脱可能であると共に、植物の茎に第２位置よりも植物の根に近い第３位置で当接する少なくとも１つの第３当接部を有する追加台木ユニットと、追加台木ユニットに固定可能であると共に、少なくとも１つの第３当接部に植物の茎を押し付ける少なくとも１つの第３押付部を有する第３固定具と、をさらに備えてもよい。第３固定具と第２固定具との間には、植物の茎を露出させる空間が設けられる。
【０２５６】
追加台木ユニットは、穂木ユニット又は台木ユニットと同等の構成を有する。第３固定具は、第１固定具又は第２固定具と同等の構成を有する。追加台木ユニットには、ポッドを支持する支持ユニットが取り付けられてもよい。
【０２５７】
追加台木ユニット及び第３固定具を備える接ぎ木用部材（以下、「中間台木接ぎ木用部材」ともいう。）は、穂木と中間台木と台木とを接ぎ木することで、３種類以上の異なる植物を接ぎ木する用途に使用される。中間台木は、植物から根と茎頂とが切断された茎で構成される。中間台木接ぎ木用部材では、保持された植物を上下２か所で切断することで、穂木と、中間台木と、台木とを形成する。つまり、台木ユニットには中間台木が保持され、追加台木ユニットには台木が保持される。
【０２５８】
穂木を保持した穂木ユニット、中間台木を保持した台木ユニット、及び台木を保持した追加台木ユニットは、それぞれ、別の植物の穂木、中間台木又は台木を保持した穂木ユニット、台木ユニット、及び追加台木ユニットと組み合わされ、接ぎ木を行う。
【０２５９】
なお、中間台木接ぎ木用部材は、２つ以上の追加台木ユニットを有してもよい。つまり、中間台木接ぎ木用部材は、２つ以上の中間台木を接ぎ木する用途にも使用可能である。この場合、穂木ユニットから最も離間した追加台木ユニットに台木が保持される。
【０２６０】
（７ｊ）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【０２６１】
［８．実施例］
以下に、本開示の効果を確認するために行った試験の内容とその評価とについて説明する。
【０２６２】
＜実施例１＞
台木用及び穂木用のトマトをそれぞれ園芸用培土が入ったトレーに播種し、園芸用のバーミキュライトで覆土した後に吸水させ発芽させた。
【０２６３】
播種後１−２週間育苗した植物に対し、図１の接ぎ木用部材１を用いて接木作業を実施した。具体的には、トレーから台木用植物及び穂木用植物をそれぞれ取り出し、接ぎ木用部材に固定した。
【０２６４】
各植物の固定後、カミソリを用いて各植物の茎を切断し、台木ユニット及び穂木ユニットを分離した。ユニットの分離後、台木用植物を固定した台木ユニットに穂木用植物を固定した穂木ユニットを固定した。その後、高湿度条件下で３−５日間養生し、台木用植物の茎と穂木用植物の茎とを活着させた。
【０２６５】
＜実施例２＞
接ぎ木用部材として、図１５の接ぎ木用部材１０１を用いた点以外は、実施例１と同じ条件にて接ぎ木を行った。
【０２６６】
＜実施例３＞
接ぎ木用部材として、図２４の接ぎ木用部材２０１を用いた点以外は、実施例１と同じ条件にて接ぎ木を行った。
【０２６７】
＜比較例＞
接ぎ木用部材として、国際公開第２０１６／１２９６８３号に開示された育苗部材を用いた点以外は、実施例１と同じ条件にて接ぎ木を行った。
【０２６８】
＜評価＞
実施例１−３及び比較例において、接ぎ木用部材に植物の茎を固定した際の茎の破損率を評価した。破損率は、実施例１−３及び比較例それぞれの試験に用いた植物の総数に対する茎に傷がついた植物の割合を求め、破損率の少ないものからＡ，Ｂ，Ｃで評価した。
【０２６９】
また、実施例１−３及び比較例において、植物の活着率を評価した。活着率は、実施例１−３及び比較例それぞれの試験に用いた植物の総数に対する活着した植物の割合を求め、活着率の高いものからＡ，Ｂ，Ｃで評価した。なお、３−５日間の養生後に接ぎ木用部材から植物を取り出した際に穂木が台木から分離しないものを活着したと判定した。
【０２７０】
上述の破損率及び活着率の結果を表１に示す。表１に示されるように、実施例１−３は、いずれも活着率が比較例よりも優れていた。
【０２７１】
【表１】
2019235111.tif 000003
【図１】
2019235111.tif 000004
【図２】
2019235111.tif 000005
【図３】
2019235111.tif 000006
【図４】
2019235111.tif 000007
【図５】
2019235111.tif 000008
【図６】
2019235111.tif 000009
【図７】
2019235111.tif 000010
【図８】
2019235111.tif 000011
【図９】
2019235111.tif 000012
【図１０】
2019235111.tif 000013
【図１１】
2019235111.tif 000014
【図１２】
2019235111.tif 000015
【図１３】
2019235111.tif 000016
【図１４】
2019235111.tif 000017
【図１５】
2019235111.tif 000018
【図１６】
2019235111.tif 000019
【図１７】
2019235111.tif 000020
【図１８】
2019235111.tif 000021
【図１９】
2019235111.tif 000022
【図２０】
2019235111.tif 000023
【図２１】
2019235111.tif 000024
【図２２】
2019235111.tif 000025
【図２３】
2019235111.tif 000026
【図２４】
2019235111.tif 000027
【図２５】
2019235111.tif 000028
【図２６】
2019235111.tif 000029
【図２７】
2019235111.tif 000030
【図２８】
2019235111.tif 000031
【図２９】
2019235111.tif 000032
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
植物の茎に第１位置で当接する少なくとも１つの第１当接部を有する穂木ユニットと、
前記穂木ユニットに着脱可能であると共に、前記植物の茎に前記第１位置よりも前記植物の根に近い第２位置で当接する少なくとも１つの第２当接部を有する台木ユニットと、
前記穂木ユニットに固定可能であると共に、前記少なくとも１つの第１当接部に前記植物の茎を押し付ける少なくとも１つの第１押付部を有する第１固定具と、
前記台木ユニットに固定可能であると共に、前記少なくとも１つの第２当接部に前記植物の茎を押し付ける少なくとも１つの第２押付部を有する第２固定具と、
を備え、
前記穂木ユニットに固定された前記第１固定具と、前記台木ユニットに固定された前記第２固定具との間に、前記植物の茎を切断するための空間が設けられる、接ぎ木用部材。
【請求項２】
請求項１に記載の接ぎ木用部材であって、
前記少なくとも１つの第１当接部は、前記少なくとも１つの第１押付部と対向する位置に設けられると共に、互いの距離が前記第１固定具の押付方向に沿って小さくなる２つの第１受容面を有し、
前記少なくとも１つの第１押付部は、前記少なくとも１つの第１当接部と対向する位置に設けられると共に、互いの距離が前記第１固定具の押付方向に沿って大きくなる２つの第１ガイド面を有し、
前記少なくとも１つの第２当接部は、前記少なくとも１つの第２押付部と対向する位置に設けられると共に、互いの距離が前記第２固定具の押付方向に沿って小さくなる２つの第２受容面を有し、
前記少なくとも１つの第２押付部は、前記少なくとも１つの第２当接部と対向する位置に設けられると共に、互いの距離が前記第２固定具の押付方向に沿って大きくなる２つの第２ガイド面を有する、接ぎ木用部材。
【請求項３】
請求項２に記載の接ぎ木用部材であって、
前記少なくとも１つの第１押付部及び前記少なくとも１つの第２押付部は、それぞれ、前記２つの第１ガイド面又は前記２つの第２ガイド面の連結部分に配置される緩衝部材を有する、接ぎ木用部材。
【請求項４】
請求項１から請求項３のいずれか１項に記載の接ぎ木用部材であって、
前記穂木ユニット及び前記台木ユニットは、それぞれ、前記少なくとも１つの第１当接部又は前記少なくとも１つの第２当接部が設けられた複数の板部を有し、
前記複数の板部は、
少なくとも１つの第１板部と、
前記第１板部に対し前記植物の茎の軸と平行な方向にずれて配置される少なくとも１つの第２板部と、
を有する、接ぎ木用部材。
【請求項５】
請求項１に記載の接ぎ木用部材であって、
前記少なくとも１つの第１押付部は、前記植物の茎の当接によって変形する第１緩衝部材を有し、
前記少なくとも１つの第２押付部は、前記植物の茎の当接によって変形する第２緩衝部材を有する、接ぎ木用部材。
【請求項６】
請求項５に記載の接ぎ木用部材であって、
前記少なくとも１つの第１押付部は、互いに離間して前記第１緩衝部材よりも前記第１固定具の押付方向に突出すると共に、互いの距離が前記第１固定具の押付方向に沿って大きくなる２つの第１ガイド面を有し、
前記少なくとも１つの第２押付部は、互いに離間して前記第２緩衝部材よりも前記第２固定具の押付方向に突出すると共に、互いの距離が前記第２固定具の押付方向に沿って大きくなる２つの第２ガイド面を有する、接ぎ木用部材。
【請求項７】
請求項６に記載の接ぎ木用部材であって、
前記第１緩衝部材は、前記２つの第１ガイド面の一部と前記植物の茎の軸と平行な方向に重なるように配置され、
前記第２緩衝部材は、前記２つの第２ガイド面の一部と前記植物の茎の軸と平行な方向に重なるように配置される、接ぎ木用部材。
【請求項８】
請求項５から請求項７のいずれか１項に記載の接ぎ木用部材であって、
前記第１固定具は、
前記少なくとも１つの第１押付部としての複数の第１押付部と、
前記複数の第１押付部に跨って配置された第１緩衝部材構成体と、
を有し、
前記第２固定具は、
前記少なくとも１つの第２押付部としての複数の第２押付部と、
前記複数の第２押付部に跨って配置された第２緩衝部材構成体と、
を有し、
前記複数の第１押付部が有する前記第１緩衝部材は、前記第１緩衝部材構成体の一部であり、
前記複数の第２押付部が有する前記第２緩衝部材は、前記第２緩衝部材構成体の一部である、接ぎ木用部材。
【請求項９】
請求項５から請求項８のいずれか１項に記載の接ぎ木用部材であって、
前記少なくとも１つの第１当接部は、前記少なくとも１つの第１押付部と対向する位置に設けられると共に、互いの距離が前記第１固定具の押付方向に沿って小さくなる２つの第１受容面を有し、
前記少なくとも１つの第２当接部は、前記少なくとも１つの第２押付部と対向する位置に設けられると共に、互いの距離が前記第２固定具の押付方向に沿って小さくなる２つの第２受容面を有する、接ぎ木用部材。
【請求項１０】
請求項２、請求項３又は請求項９に記載の接ぎ木用部材であって、
前記少なくとも１つの第１当接部は、前記２つの第１受容面の連結部分に設けられると共に、前記２つの第１受容面よりも前記植物の茎の軸と平行な方向に突出した第１凸部を有し、
前記少なくとも１つの第２当接部は、前記２つの第２受容面の連結部分に設けられると共に、前記２つの第２受容面よりも前記植物の茎の軸と平行な方向に突出した第２凸部を有する、接ぎ木用部材。
【請求項１１】
請求項１０に記載の接ぎ木用部材であって、
前記第１凸部の前記第１固定具の押付方向から視た幅は、前記２つの第１受容面から離間するに連れて小さくなり、
前記第２凸部の前記第２固定具の押付方向から視た幅は、前記２つの第２受容面から離間するに連れて小さくなる、接ぎ木用部材。
【請求項１２】
請求項２、請求項３、請求項９、請求項１０又は請求項１１に記載の接ぎ木用部材であって、
前記２つの第１受容面及び前記２つの第２受容面は、それぞれ、前記植物の茎の軸と平行な方向から視て湾曲した曲線部を有する、接ぎ木用部材。
【請求項１３】
請求項１２に記載の接ぎ木用部材であって、
前記２つの第１受容面及び前記２つの第２受容面は、それぞれ、前記２つの第１受容面の連結部分又は前記２つの第２受容面の連結部分に設けられた平面部をさらに有し、
前記平面部は、前記植物の茎の軸と平行な平面で構成される、接ぎ木用部材。
【請求項１４】
請求項１から請求項１３のいずれか１項に記載の接ぎ木用部材であって、
前記台木ユニットに対し前記穂木ユニットを固定する固定機構をさらに備える、接ぎ木用部材。
【請求項１５】
請求項１から請求項１４のいずれか１項に記載の接ぎ木用部材であって、
前記穂木ユニットは、前記少なくとも１つの第１当接部として複数の第１当接部を有し、
前記台木ユニットは、前記少なくとも１つの第２当接部として複数の第２当接部を有し、
前記第１固定具は、前記少なくとも１つの第１押付部として複数の第１押付部を有し、
前記第２固定具は、前記少なくとも１つの第２押付部として複数の第２押付部を有し、
前記植物の根が１つずつ収納された複数のポッドを支持する支持ユニットをさらに備える、接ぎ木用部材。
【請求項１６】
請求項１から請求項１５のいずれか１項に記載の接ぎ木用部材であって、
前記台木ユニットは、前記植物の茎の軸と垂直な面に対し前記穂木ユニットと対称な形状である、接ぎ木用部材。
【請求項１７】
第１接ぎ木用部材と、第２接ぎ木用部材とを備える接ぎ木用部材セットであって、
前記第１接ぎ木用部材は、
第１植物の茎に当接する少なくとも１つの第１当接部を有する穂木ユニットと、
前記穂木ユニットに固定可能であると共に、前記少なくとも１つの第１当接部に前記第１植物の茎を押し付ける少なくとも１つの第１押付部を有する第１固定具と、
を備え、
前記第２接ぎ木用部材は、
第２植物の茎に当接する少なくとも１つの第２当接部を有する台木ユニットと、
前記台木ユニットに固定可能であると共に、前記少なくとも１つの第２当接部に前記第２植物の茎を押し付ける少なくとも１つの第２押付部を有する第２固定具と、
を備え、
前記第１接ぎ木用部材の前記穂木ユニットは、前記第１固定具が固定された状態で、前記第２固定具が固定された状態の前記第２接ぎ木用部材の前記台木ユニットに装着可能であり、
前記少なくとも１つの第１押付部は、前記少なくとも１つの第１当接部と対向する位置に設けられると共に、互いの距離が前記第１固定具の押付方向に沿って大きくなる２つの第１ガイド面を有し、
前記少なくとも１つの第２押付部は、前記少なくとも１つの第２当接部と対向する位置に設けられると共に、互いの距離が前記第２固定具の押付方向に沿って大きくなる２つの第２ガイド面を有する、接ぎ木用部材セット。
【請求項１８】
請求項１７に記載の接ぎ木用部材セットであって、
前記少なくとも１つの第１当接部は、前記少なくとも１つの第１押付部と対向する位置に設けられると共に、互いの距離が前記第１固定具の押付方向に沿って小さくなる２つの第１受容面を有し、
前記少なくとも１つの第２当接部は、前記少なくとも１つの第２押付部と対向する位置に設けられると共に、互いの距離が前記第２固定具の押付方向に沿って小さくなる２つの第２受容面を有する、接ぎ木用部材セット。
【請求項１９】
請求項１８に記載の接ぎ木用部材セットであって、
前記少なくとも１つの第１押付部及び前記少なくとも１つの第２押付部は、それぞれ、前記２つの第１ガイド面又は前記２つの第２ガイド面の連結部分に配置される緩衝部材を有する、接ぎ木用部材セット。
【請求項２０】
請求項１７から請求項１９のいずれか１項に記載の接ぎ木用部材セットであって、
前記穂木ユニット及び前記台木ユニットは、それぞれ、前記少なくとも１つの第１当接部又は前記少なくとも１つの第２当接部が設けられた複数の板部を有し、
前記複数の板部は、
少なくとも１つの第１板部と、
前記第１板部に対し前記第１植物又は前記第２植物の茎の軸と平行な方向にずれて配置される少なくとも１つの第２板部と、
を有する、接ぎ木用部材セット。
【請求項２１】
請求項１７に記載の接ぎ木用部材セットであって、
前記少なくとも１つの第１押付部は、前記第１植物の茎の当接によって変形する第１緩衝部材を有し、
前記少なくとも１つの第２押付部は、前記第２植物の茎の当接によって変形する第２緩衝部材を有する、接ぎ木用部材セット。
【請求項２２】
請求項２１に記載の接ぎ木用部材セットであって、
前記２つの第１ガイド面は、互いに離間して前記第１緩衝部材よりも前記第１固定具の押付方向に突出し、
前記２つの第２ガイド面は、互いに離間して前記第２緩衝部材よりも前記第２固定具の押付方向に突出する、接ぎ木用部材セット。
【請求項２３】
請求項２２に記載の接ぎ木用部材セットであって、
前記第１緩衝部材は、前記２つの第１ガイド面の一部と前記第１植物の茎の軸と平行な方向に重なるように配置され、
前記第２緩衝部材は、前記２つの第２ガイド面の一部と前記第２植物の茎の軸と平行な方向に重なるように配置される、接ぎ木用部材セット。
【請求項２４】
請求項２１から請求項２３のいずれか１項に記載の接ぎ木用部材セットであって、
前記第１固定具は、
前記少なくとも１つの第１押付部としての複数の第１押付部と、
前記複数の第１押付部に跨って配置された第１緩衝部材構成体と、
を有し、
前記第２固定具は、
前記少なくとも１つの第２押付部としての複数の第２押付部と、
前記複数の第２押付部に跨って配置された第２緩衝部材構成体と、
を有し、
前記複数の第１押付部が有する前記第１緩衝部材は、前記第１緩衝部材構成体の一部であり、
前記複数の第２押付部が有する前記第２緩衝部材は、前記第２緩衝部材構成体の一部である、接ぎ木用部材セット。
【請求項２５】
請求項２１から請求項２４のいずれか１項に記載の接ぎ木用部材セットであって、
前記少なくとも１つの第１当接部は、前記少なくとも１つの第１押付部と対向する位置に設けられると共に、互いの距離が前記第１固定具の押付方向に沿って小さくなる２つの第１受容面を有し、
前記少なくとも１つの第２当接部は、前記少なくとも１つの第２押付部と対向する位置に設けられると共に、互いの距離が前記第２固定具の押付方向に沿って小さくなる２つの第２受容面を有する、接ぎ木用部材セット。
【請求項２６】
請求項１８、請求項１９又は請求項２５に記載の接ぎ木用部材セットであって、
前記少なくとも１つの第１当接部は、前記２つの第１受容面の連結部分に設けられると共に、前記２つの第１受容面よりも前記第１植物の茎の軸と平行な方向に突出した第１凸部を有し、
前記少なくとも１つの第２当接部は、前記２つの第２受容面の連結部分に設けられると共に、前記２つの第２受容面よりも前記第２植物の茎の軸と平行な方向に突出した第２凸部を有する、接ぎ木用部材セット。
【請求項２７】
請求項２６に記載の接ぎ木用部材セットであって、
前記第１凸部の前記第１固定具の押付方向から視た幅は、前記２つの第１受容面から離間するに連れて小さくなり、
前記第２凸部の前記第２固定具の押付方向から視た幅は、前記２つの第２受容面から離間するに連れて小さくなる、接ぎ木用部材セット。
【請求項２８】
請求項１８、請求項１９、請求項２５、請求項２６又は請求項２７に記載の接ぎ木用部材セットであって、
前記２つの第１受容面及び前記２つの第２受容面は、それぞれ、前記第１植物又は前記第２植物の茎の軸と平行な方向から視て湾曲した曲線部を有する、接ぎ木用部材セット。
【請求項２９】
請求項２８に記載の接ぎ木用部材セットであって、
前記２つの第１受容面及び前記２つの第２受容面は、それぞれ、前記２つの第１受容面の連結部分又は前記２つの第２受容面の連結部分に連続して設けられた平面部をさらに有し、
前記平面部は、前記第１植物又は前記第２植物の茎の軸と平行な平面で構成される、接ぎ木用部材セット。
【請求項３０】
請求項１７から請求項２９のいずれか１項に記載の接ぎ木用部材セットであって、
前記第１接ぎ木用部材及び前記第２接ぎ木用部材の少なくとも一方は、前記台木ユニットに対し前記穂木ユニットを固定する固定機構をさらに備える、接ぎ木用部材セット。
【請求項３１】
請求項１７から請求項３０のいずれか１項に記載の接ぎ木用部材セットであって、
前記穂木ユニットは、前記少なくとも１つの第１当接部として複数の第１当接部を有し、
前記台木ユニットは、前記少なくとも１つの第２当接部として複数の第２当接部を有し、
前記第１固定具は、前記少なくとも１つの第１押付部として複数の第１押付部を有し、
前記第２固定具は、前記少なくとも１つの第２押付部として複数の第２押付部を有し、
前記第２接ぎ木用部材は、前記第２植物の根が１つずつ収納された複数のポッドを支持する支持ユニットをさらに備える、接ぎ木用部材セット。
【請求項３２】
植物の茎に第１位置で当接する少なくとも１つの第１当接部を有する穂木ユニット、及び前記穂木ユニットに着脱可能であると共に前記植物の茎に前記第１位置よりも前記植物の根に近い第２位置で当接する少なくとも１つの第２当接部を有する台木ユニットのうち、少なくとも一方のユニットに固定される接ぎ木用固定具であって、
前記少なくとも１つの第１当接部又は前記少なくとも１つの第２当接部に前記植物の茎を押し付ける少なくとも１つの押付部を備え、
前記穂木ユニット又は前記台木ユニットに固定されることで、前記第１位置と前記第２位置との間に前記植物の茎を切断するための空間を設ける、接ぎ木用固定具。
【請求項３３】
請求項３２に記載の接ぎ木用固定具であって、
前記少なくとも１つの押付部は、前記少なくとも１つの第１当接部又は前記少なくとも１つの第２当接部と対向する位置に設けられると共に、互いの距離が前記少なくとも１つの押付部の押付方向に沿って大きくなる２つのガイド面を有する、接ぎ木用固定具。
【請求項３４】
請求項３３に記載の接ぎ木用固定具であって、
前記少なくとも１つの押付部は、前記２つのガイド面の連結部分に配置される緩衝部材を有する、接ぎ木用固定具。
【請求項３５】
請求項３２に記載の接ぎ木用固定具であって、
前記少なくとも１つの押付部は、前記植物の茎の当接によって変形する緩衝部材を有する、接ぎ木用固定具。
【請求項３６】
請求項３５に記載の接ぎ木用固定具であって、
前記少なくとも１つの押付部は、互いに離間して前記緩衝部材よりも前記少なくとも１つの押付部の押付方向に突出すると共に、互いの距離が前記少なくとも１つの押付部の押付方向に沿って大きくなる２つのガイド面を有する、接ぎ木用固定具。
【請求項３７】
請求項３６に記載の接ぎ木用固定具であって、
前記緩衝部材は、前記２つのガイド面の一部と前記植物の茎の軸と平行な方向に重なるように配置される、接ぎ木用固定具。
【請求項３８】
請求項３５から請求項３７のいずれか１項に記載の接ぎ木用固定具であって、
前記少なくとも１つの押付部としての複数の押付部と、
前記複数の押付部に跨って配置された緩衝部材構成体と、
を備え、
前記複数の押付部が有する前記緩衝部材は、前記緩衝部材構成体の一部である、接ぎ木用固定具。
【請求項３９】
植物の茎に第１位置で当接する少なくとも１つの第１当接部を有する穂木ユニットと、
前記穂木ユニットに着脱可能であると共に、前記植物の茎に前記第１位置よりも前記植物の根に近い第２位置で当接する少なくとも１つの第２当接部を有する台木ユニットと、
前記穂木ユニットに固定可能であると共に、前記少なくとも１つの第１当接部に前記植物の茎を押し付ける少なくとも１つの第１押付部を有する第１固定具と、
前記台木ユニットに固定可能であると共に、前記少なくとも１つの第２当接部に前記植物の茎を押し付ける少なくとも１つの第２押付部を有する第２固定具と、
を備え、
前記穂木ユニットに固定された前記第１固定具と、前記台木ユニットに固定された前記第２固定具との間に、前記植物の茎を露出させる空間が設けられ、
前記少なくとも１つの第１押付部は、前記少なくとも１つの第１当接部と対向する位置に設けられると共に、互いの距離が前記第１固定具の押付方向に沿って大きくなる２つの第１ガイド面を有し、
前記少なくとも１つの第２押付部は、前記少なくとも１つの第２当接部と対向する位置に設けられると共に、互いの距離が前記第２固定具の押付方向に沿って大きくなる２つの第２ガイド面を有する、接ぎ木用部材。
【請求項４０】
請求項３９に記載の接ぎ木用部材であって、
前記少なくとも１つの第１当接部は、前記少なくとも１つの第１押付部と対向する位置に設けられると共に、互いの距離が前記第１固定具の押付方向に沿って小さくなる２つの第１受容面を有し、
前記少なくとも１つの第２当接部は、前記少なくとも１つの第２押付部と対向する位置に設けられると共に、互いの距離が前記第２固定具の押付方向に沿って小さくなる２つの第２受容面を有する、接ぎ木用部材。
【請求項４１】
植物の茎に第１位置で当接する少なくとも１つの第１当接部を有する穂木ユニットと、
前記穂木ユニットに着脱可能であると共に、前記植物の茎に前記第１位置よりも前記植物の根に近い第２位置で当接する少なくとも１つの第２当接部を有する台木ユニットと、
前記穂木ユニットに固定可能であると共に、前記少なくとも１つの第１当接部に前記植物の茎を押し付ける少なくとも１つの第１押付部を有する第１固定具と、
前記台木ユニットに固定可能であると共に、前記少なくとも１つの第２当接部に前記植物の茎を押し付ける少なくとも１つの第２押付部を有する第２固定具と、
を備え、
前記穂木ユニットに固定された前記第１固定具と、前記台木ユニットに固定された前記第２固定具との間に、前記植物の茎を露出させる空間が設けられ、
前記少なくとも１つの第１押付部は、前記植物の茎の当接によって変形する第１緩衝部材を有し、
前記少なくとも１つの第２押付部は、前記植物の茎の当接によって変形する第２緩衝部材を有し、
前記少なくとも１つの第１押付部は、互いに離間して前記第１緩衝部材よりも前記第１固定具の押付方向に突出すると共に、互いの距離が前記第１固定具の押付方向に沿って大きくなる２つの第１ガイド面を有し、
前記少なくとも１つの第２押付部は、互いに離間して前記第２緩衝部材よりも前記第２固定具の押付方向に突出すると共に、互いの距離が前記第２固定具の押付方向に沿って大きくなる２つの第２ガイド面を有する、接ぎ木用部材。
【請求項４２】
第１接ぎ木用部材と、第２接ぎ木用部材とを備える接ぎ木用部材セットであって、
前記第１接ぎ木用部材は、
第１植物の茎に当接する少なくとも１つの第１当接部を有する穂木ユニットと、
前記穂木ユニットに固定可能であると共に、前記少なくとも１つの第１当接部に前記第１植物の茎を押し付ける少なくとも１つの第１押付部を有する第１固定具と、
を備え、
前記第２接ぎ木用部材は、
第２植物の茎に当接する少なくとも１つの第２当接部を有する台木ユニットと、
前記台木ユニットに固定可能であると共に、前記少なくとも１つの第２当接部に前記第２植物の茎を押し付ける少なくとも１つの第２押付部を有する第２固定具と、
を備え、
前記第１接ぎ木用部材の前記穂木ユニットは、前記第１固定具が固定された状態で、前記第２固定具が固定された状態の前記第２接ぎ木用部材の前記台木ユニットに装着可能であり、
前記少なくとも１つの第１押付部は、前記第１植物の茎の当接によって変形する第１緩衝部材を有し、
前記少なくとも１つの第２押付部は、前記第２植物の茎の当接によって変形する第２緩衝部材を有し、
前記少なくとも１つの第１押付部は、互いに離間して前記第１緩衝部材よりも前記第１固定具の押付方向に突出すると共に、互いの距離が前記第１固定具の押付方向に沿って大きくなる２つの第１ガイド面を有し、
前記少なくとも１つの第２押付部は、互いに離間して前記第２緩衝部材よりも前記第２固定具の押付方向に突出すると共に、互いの距離が前記第２固定具の押付方向に沿って大きくなる２つの第２ガイド面を有する、接ぎ木用部材セット。
【請求項４３】
植物の茎に第１位置で当接する少なくとも１つの第１当接部を有する穂木ユニット、及び前記穂木ユニットに着脱可能であると共に前記植物の茎に前記第１位置よりも前記植物の根に近い第２位置で当接する少なくとも１つの第２当接部を有する台木ユニットのうち、少なくとも一方のユニットに固定される接ぎ木用固定具であって、
前記少なくとも１つの第１当接部又は前記少なくとも１つの第２当接部に前記植物の茎を押し付ける少なくとも１つの押付部を備え、
前記穂木ユニット又は前記台木ユニットに固定されることで、前記第１位置と前記第２位置との間に前記植物の茎を露出させる空間を設けるように構成され、
前記少なくとも１つの押付部は、前記少なくとも１つの第１当接部又は前記少なくとも１つの第２当接部と対向する位置に設けられると共に、互いの距離が前記少なくとも１つの押付部の押付方向に沿って大きくなる２つのガイド面を有する、接ぎ木用固定具。
【請求項４４】
植物の茎に第１位置で当接する少なくとも１つの第１当接部を有する穂木ユニット、及び前記穂木ユニットに着脱可能であると共に前記植物の茎に前記第１位置よりも前記植物の根に近い第２位置で当接する少なくとも１つの第２当接部を有する台木ユニットのうち、少なくとも一方のユニットに固定される接ぎ木用固定具であって、
前記少なくとも１つの第１当接部又は前記少なくとも１つの第２当接部に前記植物の茎を押し付ける少なくとも１つの押付部を備え、
前記穂木ユニット又は前記台木ユニットに固定されることで、前記第１位置と前記第２位置との間に前記植物の茎を露出させる空間を設けるように構成され、
前記少なくとも１つの押付部は、前記植物の茎の当接によって変形する緩衝部材を有し、
前記少なくとも１つの押付部は、互いに離間して前記緩衝部材よりも前記少なくとも１つの押付部の押付方向に突出すると共に、互いの距離が前記少なくとも１つの押付部の押付方向に沿って大きくなる２つのガイド面を有する、接ぎ木用固定具。
【請求項４５】
第１接ぎ木用部材としての請求項１から請求項１６、及び請求項３９から請求項４１のいずれか１項に記載の接ぎ木用部材と、第２接ぎ木用部材としての請求項１から請求項１６、及び請求項３９から請求項４１のいずれか１項に記載の接ぎ木用部材とを用意する工程と、
前記穂木ユニットに前記台木ユニットを装着した状態で、前記第１接ぎ木用部材における前記穂木ユニットの前記少なくとも１つの第１当接部に少なくとも１つの第１植物の茎を当接させると共に、前記第１接ぎ木用部材における前記台木ユニットの前記少なくとも１つの第２当接部に前記少なくとも１つの第１植物の茎を当接させる工程と、
前記第１接ぎ木用部材における前記第１固定具及び前記第２固定具の固定により、前記少なくとも１つの第１当接部と前記少なくとも１つの第１押付部との間、及び前記少なくとも１つの第２当接部と前記少なくとも１つの第２押付部との間で前記少なくとも１つの第１植物の茎を固定する工程と、
前記第１接ぎ木用部材における前記第１固定具と前記第２固定具との間の前記空間で、前記少なくとも１つの第１植物の茎を切断する工程と、
前記穂木ユニットに前記台木ユニットを装着した状態で、前記第２接ぎ木用部材における前記穂木ユニットの前記少なくとも１つの第１当接部に少なくとも１つの第２植物の茎を当接させると共に、前記第２接ぎ木用部材における前記台木ユニットの前記少なくとも１つの第２当接部に前記少なくとも１つの第２植物の茎を当接させる工程と、
前記第２接ぎ木用部材における前記第１固定具及び前記第２固定具の固定により、前記少なくとも１つの第１当接部と前記少なくとも１つの第１押付部との間、及び前記少なくとも１つの第２当接部と前記少なくとも１つの第２押付部との間で前記少なくとも１つの第２植物の茎を固定する工程と、
前記第２接ぎ木用部材における前記第１固定具と前記第２固定具との間の前記空間で、前記少なくとも１つの第２植物の茎を切断する工程と、
前記第１接ぎ木用部材の前記穂木ユニットによって固定された前記少なくとも１つの第１植物の茎の切断面と、前記第２接ぎ木用部材の前記台木ユニットによって固定された前記少なくとも１つの第２植物の茎の切断面とを接合する工程と、
を備える、接ぎ木苗の生産方法。
【請求項４６】
請求項１７から請求項３１、及び請求項４２のいずれか１項に記載の接ぎ木用部材セットの前記第１接ぎ木用部材と前記第２接ぎ木用部材とを用意する工程と、
前記第１接ぎ木用部材における前記穂木ユニットの前記少なくとも１つの第１当接部に少なくとも１つの第１植物の茎を当接させる工程と、
前記第１固定具の固定により、前記少なくとも１つの第１当接部と前記少なくとも１つの第１押付部との間で前記少なくとも１つの第１植物の茎を固定する工程と、
前記第１固定具よりも前記少なくとも１つの第１植物の根に近い位置で、前記少なくとも１つの第１植物の茎を切断する工程と、
前記第２接ぎ木用部材における前記台木ユニットの前記少なくとも１つの第２当接部に少なくとも１つの第２植物の茎を当接させる工程と、
前記第２固定具の固定により、前記少なくとも１つの第２当接部と前記少なくとも１つの第２押付部との間で前記少なくとも１つの第２植物の茎を固定する工程と、
前記第２固定具よりも前記少なくとも１つの第２植物の根から離れた位置で、前記少なくとも１つの第２植物の茎を切断する工程と、
前記第１接ぎ木用部材の前記穂木ユニットによって固定された前記少なくとも１つの第１植物の茎の切断面と、前記第２接ぎ木用部材の前記台木ユニットによって固定された前記少なくとも１つの第２植物の茎の切断面とを接合する工程と、
を備える、接ぎ木苗の生産方法。
【国際調査報告】
2019235111.tif 000033
2019235111.tif 000034
2019235111.tif 000035